(57)【要約】  本発明は、インターネットプロトコルを基盤として、文字チャット、音声通話、映像通話、映像チャットなどのコミュニケーションサービスを実行している最中にクライアント端末機に音楽、映画などとマルチメディアコンテンツを提供して両側使用者が同時にマルチメディアコンテンツを用いるようにするサービス提供システム及び方法に関する。第１端末と第２端末との間でコミュニケーションサービスを提供するサービス提供システムでコミュニケーションサービスの遂行中に第１端末と第２端末側にマルチメディアコンテンツ共有サービスを提供する方法であって、コミュニケーションサービスの遂行中に前記第１端末側から前記第２端末とのマルチメディアコンテンツ共有要請信号を受信する第１段階、前記マルチメディアコンテンツ共有要請信号に応じて前記第１端末と第２端末との間にマルチメディアコンテンツ伝送のためのセッションを形成する第２段階、前記第１端末から伝送されるマルチメディアコンテンツに相応するマルチメディアコンテンツデータを受信して前記第２端末に伝送する第３段階、前記第１端末からマルチメディアコンテンツの再生を指示する再生指示信号を受信して前記第２端末に伝送する第４段階、及び前記第２端末から前記再生指示信号に対する応答信号を受信して前記第１端末に伝送する第５段階を含み、前記第１端末及び第２端末は、前記再生指示信号に基づいて前記マルチメディアコンテンツを再生することを特徴とする。【選択図】 図１
2014518594.tif 000002
【特許請求の範囲】
【請求項１】
第１端末と第２端末との間でコミュニケーションサービスを提供するサービス提供システムでコミュニケーションサービスの遂行中に第１端末と第２端末側にマルチメディアコンテンツ共有サービスを提供する方法において、
コミュニケーションサービスの遂行中に前記第１端末側から前記第２端末とのマルチメディアコンテンツ共有要請信号を受信する第１段階；
前記マルチメディアコンテンツ共有要請信号に応じて前記第１端末と前記第２端末との間にマルチメディアコンテンツ伝送のためのセッションを形成する第２段階；
前記第１端末から伝送されるマルチメディアコンテンツに相応するマルチメディアコンテンツデータを受信して前記第２端末に伝送する第３段階；
前記第１端末からマルチメディアコンテンツの再生を指示する再生指示信号を受信して前記第２端末に伝送する第４段階；及び
前記第２端末から前記再生指示信号に対する応答信号を受信して前記第１端末に伝送する第５段階；
を含み、
前記第１端末及び前記第２端末は、前記再生指示信号に基づいて前記マルチメディアコンテンツを再生することを特徴とする、マルチメディアコンテンツ共有サービス提供方法。
【請求項２】
前記第１段階で、前記マルチメディアコンテンツ共有要請信号は、前記第１端末のコミュニケーションサービスのインターフェースによって提供されるメニュー画面に含まれたマルチメディアコンテンツが前記第１端末で選択された場合に生成されることを特徴とする、請求項１に記載のマルチメディアコンテンツ共有サービス提供方法。
【請求項３】
前記第１段階で、前記マルチメディアコンテンツ共有要請信号は、前記コミュニケーションサービスの遂行中に前記第１端末から入力されるテキストデータに基づいて検索されるマルチメディアコンテンツを前記第１端末側で選択した場合に生成されることを特徴とする、請求項１に記載のマルチメディアコンテンツ共有サービス提供方法。
【請求項４】
前記再生指示信号は、前記マルチメディアコンテンツの再生を開始する時間情報を含み、前記第１端末及び前記第２端末は前記時間情報に相応する時間に同時に前記マルチメディアコンテンツをそれぞれ再生することを特徴とする、請求項１に記載のマルチメディアコンテンツ共有サービス提供方法。
【請求項５】
前記第２端末は、前記第４段階で前記再生指示信号の受信に応じて前記マルチメディアコンテンツの再生を開始し、前記第１端末は、前記第５段階で前記再生指示信号に対する応答信号の受信に応じて前記マルチメディアコンテンツの再生を開始することを特徴とする、請求項１に記載のマルチメディアコンテンツ共有サービス提供方法。
【請求項６】
前記第５段階の後、
前記第１端末側からマルチメディアコンテンツ再生制御信号を受信して前記第２端末に伝送する第６段階をさらに含み、
前記第２端末は、前記マルチメディアコンテンツ再生制御信号に基づいてマルチメディアコンテンツの再生に関連した制御を行うことを特徴とする、請求項１に記載のマルチメディアコンテンツ共有サービス提供方法。
【請求項７】
前記マルチメディアコンテンツ再生制御信号は、マルチメディアコンテンツの再生、中止、反復再生、前に移動、後に移動、音のボリューム調節の中の少なくともいずれか一つに対する制御信号であることを特徴とする、請求項６に記載のマルチメディアコンテンツ共有サービス提供方法。
【請求項８】
前記第３段階は、前記第１端末から前記マルチメディアコンテンツデータが載せられたＭＳＲＰ（Ｍｅｓｓａｇｅ Ｓｅｓｓｉｏｎ Ｒｅｌａｙ Ｐｒｏｔｏｃｏｌ）ＳＥＮＤメッセージを受信して前記第２端末に伝送する段階を含むことを特徴とする、請求項１に記載のマルチメディアコンテンツ共有サービス提供方法。
【請求項９】
前記第４段階は、前記マルチメディアコンテンツデータに対する実行命令を持つＳＩＰ（Ｓｅｓｓｉｏｎ Ｉｎｉｔｉａｔｉｏｎ Ｐｒｏｔｏｃｏｌ）メッセージを前記第２端末に伝送する段階を含むことを特徴とする、請求項８に記載のマルチメディアコンテンツ共有サービス提供システム。
【請求項１０】
第１端末と第２端末との間でコミュニケーションサービスを提供し、コミュニケーションサービスの遂行中に第１端末と第２端末側にマルチメディアコンテンツ共有サービスを提供するサービス提供システムにおいて、
コミュニケーションサービスの遂行中に前記第１端末側から前記第２端末とのマルチメディアコンテンツ共有要請信号を受信し、前記マルチメディアコンテンツ共有要請信号に応じて前記第１端末と前記第２端末との間にマルチメディアコンテンツ伝送のためのセッションを形成する信号処理サーバー；及び
前記第１端末から伝送されるマルチメディアコンテンツに相応するマルチメディアコンテンツデータを受信して前記第２端末に伝送するマルチメディアコンテンツ中継サーバー；
を含み、
前記信号処理サーバーは、前記第１端末からマルチメディアコンテンツの再生を指示する再生指示信号を受信して前記第２端末に伝送し、前記第２端末から前記再生指示信号を受信したことを確認する応答信号を受信して前記第１端末に伝送し、
前記第１端末及び前記第２端末は前記再生指示信号に基づいて前記マルチメディアコンテンツを再生することを特徴とする、マルチメディアコンテンツ共有サービス提供システム。
【請求項１１】
第１端末と第２端末との間でコミュニケーションサービスを提供するサービス提供システムで、コミュニケーションサービスの遂行中に第１端末と第２端末側にマルチメディアコンテンツ共有サービスを提供する方法において、
コミュニケーションサービスの遂行中に前記第１端末側から前記第２端末とのマルチメディアコンテンツ共有要請信号を受信する第１段階；
前記マルチメディアコンテンツ共有要請信号に応じて前記第２端末にマルチメディアコンテンツ共有可否を確認する信号を伝送し、これに対する応答信号を受信して前記第１端末に伝送する第２段階；
前記第１端末から再生しようとするマルチメディアコンテンツの識別情報とコンテンツ共有情報伝送要請信号を受信する第３段階；
前記コンテンツ識別情報に相応するマルチメディアコンテンツ連結情報を抽出して前記第２端末に伝送する第４段階；及び
前記マルチメディアコンテンツ連結情報に基づいて連結された前記第１端末及び前記第２端末にマルチメディアコンテンツをストリーミング方式で伝送する第５段階；
を含むことを特徴とする、マルチメディアコンテンツ共有サービス提供方法。
【請求項１２】
前記第１段階で、前記マルチメディアコンテンツ共有要請信号は、前記第１端末のコミュニケーションサービスのインターフェースによって提供されるメニュー画面に含まれたマルチメディアコンテンツが前記第１端末で選択された場合に生成されることを特徴とする、請求項１１に記載のマルチメディアコンテンツ共有サービス提供方法。
【請求項１３】
前記第１段階で、前記マルチメディアコンテンツ共有要請信号は、前記コミュニケーションサービスの遂行中に前記第１端末から入力されるテキストデータに基づいて検索されるマルチメディアコンテンツを前記第１端末側で選択した場合に生成されることを特徴とする、請求項１１に記載のマルチメディアコンテンツ共有サービス提供方法。
【請求項１４】
前記第１段階で、前記マルチメディアコンテンツ共有要請信号は、前記第２端末に対して前記マルチメディアコンテンツのストリーミング方式の受信可否を質疑する要請メッセージを含むことを特徴とする、請求項１１に記載のマルチメディアコンテンツ共有サービス提供方法。
【請求項１５】
前記第５段階の後、
前記第１端末及び前記第２端末の中の少なくともいずれか一方から前記マルチメディアコンテンツを相手や第３者への伝送を要求するプレゼント実行要請信号を受信し、前記第１端末及び前記第２端末の中の少なくともいずれか一方の決済によって前記マルチメディアコンテンツを相手または第３者に伝送する段階をさらに含むことを特徴とする、請求項１１に記載のマルチメディアコンテンツ共有サービス提供方法。
【請求項１６】
前記第５段階の後、
前記第１端末及び前記第２端末の中の少なくともいずれか一方から前記マルチメディアコンテンツを自分の端末にダウンロードするためのダウンロード要請信号を受信し、前記第１端末及び前記第２端末の中の少なくともいずれか一方の決済によって前記マルチメディアコンテンツを該当の端末に伝送する段階をさらに含むことを特徴とする、請求項１１に記載のマルチメディアコンテンツ共有サービス提供方法。
【請求項１７】
前記第５段階の後、
前記第１端末及び前記第２端末の中のいずれか一方からマルチメディアコンテンツ再生制御信号を受信し、前記マルチメディアコンテンツ再生制御信号を前記第１端末及び前記第２端末の中の他方に伝送する第６段階をさらに含み、
前記第１端末及び前記第２端末の中の他方は、前記マルチメディアコンテンツ再生制御信号に基づいてマルチメディアコンテンツの再生に関連した制御を行うことを特徴とする、請求項１１に記載のマルチメディアコンテンツ共有サービス提供方法。
【請求項１８】
前記マルチメディアコンテンツ再生制御信号は、マルチメディアコンテンツの再生、中止、反復再生、前に移動、後に移動、音のボリューム調節の中の少なくともいずれか一つに対する制御信号であることを特徴とする、請求項１７に記載のマルチメディアコンテンツ共有サービス提供方法。
【請求項１９】
第１端末と第２端末との間でコミュニケーションサービスを提供し、コミュニケーションサービスの遂行中に第１端末と第２端末側にマルチメディアコンテンツ共有サービスを提供するサービス提供システムにおいて、
コミュニケーションサービスの遂行中に前記第１端末側から前記第２端末とのマルチメディアコンテンツ共有要請信号を受信することによって前記第２端末にマルチメディアコンテンツ共有可否を確認する信号を伝送し、これに対する応答信号を受信して前記第１端末に伝送し、前記第１端末から再生しようとするマルチメディアコンテンツの識別情報とマルチメディアコンテンツ再生要請信号を受信する信号処理サーバー；
前記信号処理サーバーの要請に応えて前記識別情報に相応するマルチメディアコンテンツデータを抽出するコンテンツ管理サーバー；及び
前記信号処理サーバーの要請に応えて前記コンテンツ管理サーバーから受けたマルチメディアコンテンツデータを前記第１端末及び前記第２端末にストリーミング方式で伝送するストリーミングサーバー；
を含むことを特徴とする、マルチメディアコンテンツ共有サービス提供システム。
【請求項２０】
実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法において、
コミュニケーションサービスの遂行中に使用者端末で文字チャットまたは映像チャットによって送受信されるメッセージの中の前もって設定しておいたキーワードを実時間で自動で検出する第１段階；
前記キーワードに相応するマルチメディアコンテンツデータを実時間で自動で抽出する第２段階；及び
前記マルチメディアコンテンツデータと前記文字チャットまたは映像チャット信号が合成またはオーバーレイされたビデオデータを前記文字チャットまたは映像チャットの相手端末に実時間で伝送する第３段階；
を含むことを特徴とする、マルチメディアコンテンツ共有サービス提供方法。
【請求項２１】
実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法において、
コミュニケーションサービスの遂行中に使用者端末で文字チャットまたは映像チャットによって送受信されるメッセージの中で前もって設定しておいたキーワードを実時間で自動で検出する第１段階；
前記文字チャットまたは映像チャット信号と前記キーワードを前記文字チャットまたは映像チャットの相手端末に実時間で伝送する第２段階；及び
前記相手端末で前記キーワードに相応するマルチメディアコンテンツデータを抽出し、抽出したマルチメディアコンテンツデータと前記文字チャットまたは映像チャット信号を合成したビデオデータを画面に出力する第３段階；
を含むことを特徴とする、マルチメディアコンテンツ共有サービス提供方法。
【請求項２２】
実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法において、
コミュニケーションサービスの遂行中に使用者端末で特定の音源またはＶＯＤ（Ｖｉｄｅｏ Ｏｎ Ｄｅｍａｎｄ）ファイルを実行する第１段階；
前記第１段階での音源またはＶＯＤファイルのオーディオデータと使用者端末のマイクを通じて入力される使用者音声データを合成する第２段階；及び
前記合成された音声信号を前記コミュニケーションサービスの相手端末に伝送する第３段階；
を含み、
前記使用者端末は、前記音源またはＶＯＤファイルのオーディオデータを相手端末から受信した音声データと合成してスピーカーに出力し、前記相手端末は、前記使用者端末から受信した合成された音声信号をスピーカーに出力することを特徴とする、マルチメディアコンテンツ共有サービス提供方法。
【発明の詳細な説明】
【技術分野】
【０００１】
本発明はコミュニケーションサービスの遂行中のマルチメディアコンテンツ共有サービス提供方法及びシステムに係り、より詳しくはインターネットプロトコルを基盤として文字チャット、音声通話、映像通話、音声チャット、映像チャットなどのようなコミュニケーションサービスを実行している最中にクライアント端末機に音楽、映画、ｅ−Ｂｏｏｋなどのマルチメディアコンテンツを円滑に提供することができるサービス提供システム及び方法に関するものである。
【背景技術】
【０００２】
近年、インターネット技術の発展とともにスマートフォンやタブレットパーソナルコンピューター及びスマートＴＶなどのように、インターネットプロトコル基盤のネットワーク接続機能を備えた携帯型通信端末機が急速に普及されており、このような携帯型通信端末機を用いた各種の通信サービスが多様に研究開発されている。
【０００３】
このような携帯型通信端末機は、既存の２世代（２Ｇ）や３世代（３Ｇ）移動通信網を用いる代わりに、ワイファイ（ＷｉＦｉ）などの無線ＬＡＮを用いて音声通話、音声通話中のチャットまたは音声チャット、文字チャット、メッセージングサービス、映像通話、映像チャットなどのような多様な形態のコミュニケーションサービスを用いるように構成されている。無線ＬＡＮを用いたコミュニケーションサービスは、使用者が別途の料金を負担しないという点で広く用いられている。近年には、インターネットプロトコル（Ｉｎｔｅｒｎｅｔ Ｐｒｏｔｏｃｏｌ、ＩＰ）を基盤として音声通話サービスを提供する、いわゆるｍＶｏＩＰ（Ｍｏｂｉｌｅ Ｖｏｉｃｅ ｏｖｅｒ ＩＰ）サービスも大きく増加している。
【０００４】
このような趨勢に従って、ＩＰを基盤として音声通話、音声チャット、文字チャット、音声または映像メッセージ伝送、映像通話、映像チャットなどのような多様な形態のコミュニケーションサービスとともに音楽や映画、電子本などのようなマルチメディアコンテンツを使用者に便利で円滑に提供することができる方案が要求されている。
【発明の概要】
【発明が解決しようとする課題】
【０００５】
本発明は前述したような点に鑑みてなされたもので、音声通話、音声通話中のチャット、文字チャット、映像通話、映像チャットなどのような多様な形態のコミュニケーションサービスを実行している最中に音楽や映画、電子本などのようなマルチメディアコンテンツを使用者が簡便に共有するようにするサービス提供方法及びシステムを提供することをその目的とする。
【０００６】
また、本発明は、スマート端末間実時間コミュニケーションサービスの遂行中にサービス加入者が自分のスマート端末のアプリケーションから提供するメニューで相手と一緒に楽しみたい音楽、映画、電子本または多様なＶＯＤ（Ｖｉｄｅｏ Ｏｎ Ｄｅｍａｎｄ）などを選択するとか、チャット中に入力した特定のキーワードに基づいて自動で提供される該当のマルチメディアコンテンツをコミュニケーションサービス使用者が同時に聴取するとか見ることができるようにするサービス提供方法及びシステムを提供することを他の目的とする。
【０００７】
また、本発明は、スマート端末間にコミュニケーションサービスを遂行しながら実時間でマルチメディアコンテンツを同時に用いている最中にサービス加入者が現在プレイされている音楽、ＶＯＤまたは映画情報を選択することで、相手に該当のマルチメディアコンテンツをプレゼントすることができる‘プレゼント（Ｇｉｆｔ）機能’またはサービス加入者が購買を選択することで自分の端末に該当のコンテンツを保存することができる‘購入／購買の機能’を備えたサービス提供システム及び方法を提供することをさらに他の目的とする。
【０００８】
また、本発明は、スマート端末間にコミュニケーションサービスを遂行しながら実時間でマルチメディアコンテンツを同時に聴取するとか視聴している最中に、該当のマルチメディアコンテンツのプレゼントや購買に対する決済のために移動通信端末の電話番号を用いる少額決済連動機能、既存の音楽／ＶＯＤまたは映画サイト、またはクラウディングシステム（Ｃｌｏｕｄｉｎｇ Ｓｙｓｔｅｍ）との連動によるストリーミングやダウンロードサービスまたは音源ダウンロードなどのサービスに連動する決済機能、またはアプリケーションストアなどのオープンマーケットまたは仮想商店との連動によるオンライン決済機能などを提供することができるサービス提供システム及び方法を提供することをさらに他の目的とする。
【０００９】
また、本発明は、スマート端末に組み込まれるアプリケーションによるサービス連動機能を提供することで、スマート端末と既存のレガシー（Ｌｅｇａｃｙ）２Ｇ／３Ｇネットワーク基盤の端末間のコミュニケーションサービス遂行中に網間の連動が円滑に遂行されることができるようにマルチメディアコンテンツ共有サービスを提供することができるサービス提供システム及び方法を提供することをさらに他の目的とする。
【課題を解決するための手段】
【００１０】
前述したような課題を解決するために、本発明は、コミュニケーションサービスの遂行の際、マルチメディアサービスを提供する方法であって、発信端末と着信端末の間でコミュニケーションサービスの遂行中に発信端末及び着信端末の中の少なくともいずれか一方でマルチメディアコンテンツを再生することを選択する段階；選択されたマルチメディアコンテンツを再生しながらこれを音声または映像データと合成して相手端末に伝送する段階；及び相手端末で受信された合成データを再生する段階を含む、コミュニケーションサービスの遂行時のマルチメディアサービス提供方法を提供する。
【００１１】
本発明の他の側面によれば、コミュニケーションサービスの遂行の際、マルチメディアサービスを提供する方法であって、発信端末と着信端末の間でコミュニケーションサービスの遂行中に発信端末及び着信端末の中の少なくともいずれか一方から相手端末に伝送するマルチメディアコンテンツを選択する段階；選択されたマルチメディアコンテンツを相手端末に伝送するための伝送セッションを形成する段階；伝送セッションによってマルチメディアコンテンツデータを相手端末に伝送する段階；相手端末で受信されたマルチメディアコンテンツデータを再生する段階を含むコミュニケーションサービスの遂行時のマルチメディアサービス提供方法を提供する。
【００１２】
ここで、発信端末または着信端末の選択メニューによってマルチメディアコンテンツの伝送、再生、ストリーミング、購買、プレゼント実行のメニューを提供するように構成することもできる。
【００１３】
本発明の一側面によるマルチメディアコンテンツ共有サービス提供方法は、第１端末と第２端末との間でコミュニケーションサービスを提供するサービス提供システムでコミュニケーションサービスの遂行中に第１端末と第２端末側にマルチメディアコンテンツ共有サービスを提供する方法であって、コミュニケーションサービスの遂行中に第１端末側から第２端末とのマルチメディアコンテンツ共有要請信号を受信する第１段階；マルチメディアコンテンツ共有要請信号に応じて第１端末と第２端末との間にマルチメディアコンテンツ伝送のためのセッションを形成する第２段階；第１端末から伝送されるマルチメディアコンテンツに相応するマルチメディアコンテンツデータを受信して第２端末に伝送する第３段階；第１端末からマルチメディアコンテンツの再生を指示する再生指示信号を受信して第２端末に伝送する第４段階；及び第２端末から再生指示信号に対する応答信号を受信して第１端末に伝送する第５段階を含む。ここで、第１端末及び第２端末は、再生指示信号に基づいてマルチメディアコンテンツを再生する。
【００１４】
一実施例において、マルチメディアコンテンツ共有要請信号は、第１端末のコミュニケーションサービスのインターフェースによって提供されるメニュー画面に含まれたマルチメディアコンテンツが第１端末で選択された場合に生成される。
【００１５】
一実施例において、マルチメディアコンテンツ共有要請信号は、コミュニケーションサービスの遂行中に第１端末から入力されるテキストデータに基づいて検索されるマルチメディアコンテンツを第１端末側で選択した場合に生成される。
【００１６】
一実施例において、再生指示信号は、マルチメディアコンテンツの再生を開始する時間情報を含む。ここで、第１端末及び第２端末は時間情報に相応する時間に同時にマルチメディアコンテンツをそれぞれ再生する。
【００１７】
一実施例において、第２端末は、第４段階で再生指示信号の受信に応じてマルチメディアコンテンツの再生を開始し、第１端末は、第５段階で再生指示信号に対する応答信号の受信に応じてマルチメディアコンテンツの再生を開始する。
【００１８】
一実施例において、サービス提供方法は、第５段階の後、第１端末側からマルチメディアコンテンツ再生制御信号を受信して第２端末に伝送する第６段階をさらに含む。ここで、第２端末は、マルチメディアコンテンツ再生制御信号に基づいてマルチメディアコンテンツの再生に関連した制御を行う。
【００１９】
一実施例において、マルチメディアコンテンツ再生制御信号は、マルチメディアコンテンツの再生、中止、反復再生、前に移動、後に移動、音のボリューム調節の中の少なくともいずれか一つに対する制御信号を含む。
【００２０】
一実施例において、第３段階は、第１端末からマルチメディアコンテンツデータが載せられたＭＳＲＰ（Ｍｅｓｓａｇｅ Ｓｅｓｓｉｏｎ Ｒｅｌａｙ Ｐｒｏｔｏｃｏｌ）ＳＥＮＤメッセージを受信して第２端末に伝送する段階を含む。
【００２１】
一実施例において、第４段階は、マルチメディアコンテンツデータに対する実行命令を持つＳＩＰ（Ｓｅｓｓｉｏｎ Ｉｎｉｔｉａｔｉｏｎ Ｐｒｏｔｏｃｏｌ）メッセージを第２端末に伝送する段階を含む。
【００２２】
本発明の一側面によるマルチメディアコンテンツ共有サービス提供システムは、第１端末と第２端末との間でコミュニケーションサービスを提供し、コミュニケーションサービスの遂行中に第１端末と第２端末側にマルチメディアコンテンツ共有サービスを提供するサービス提供システムであって、コミュニケーションサービスの遂行中に第１端末側から第２端末とのマルチメディアコンテンツ共有要請信号を受信し、マルチメディアコンテンツ共有要請信号に応じて第１端末と第２端末との間にマルチメディアコンテンツ伝送のためのセッションを形成する信号処理サーバー；及び第１端末から伝送されるマルチメディアコンテンツに相応するマルチメディアコンテンツデータを受信して第２端末に伝送するマルチメディアコンテンツ中継サーバーを含む。ここで、信号処理サーバーは、第１端末からマルチメディアコンテンツの再生を指示する再生指示信号を受信して第２端末に伝送し、第２端末から再生指示信号を受信したことを確認する応答信号を受信して第１端末に伝送し、第１端末及び第２端末は再生指示信号に基づいてマルチメディアコンテンツを再生する。
【００２３】
本発明のさらに他の一側面によるマルチメディアコンテンツ共有サービス提供方法は、第１端末と第２端末との間でコミュニケーションサービスを提供するサービス提供システムで、コミュニケーションサービスの遂行中に第１端末と第２端末側にマルチメディアコンテンツ共有サービスを提供する方法であって、コミュニケーションサービスの遂行中に第１端末側から第２端末とのマルチメディアコンテンツ共有要請信号を受信する第１段階；マルチメディアコンテンツ共有要請信号に応じて第２端末にマルチメディアコンテンツ共有可否を確認する信号を伝送し、これに対する応答信号を受信して第１端末に伝送する第２段階；第１端末から再生しようとするマルチメディアコンテンツの識別情報とコンテンツ共有情報伝送要請信号を受信する第３段階；コンテンツ識別情報に相応するマルチメディアコンテンツ連結情報を抽出して第２端末に伝送する第４段階；及びマルチメディアコンテンツ連結情報に基づいて連結された第１端末及び第２端末にマルチメディアコンテンツをストリーミング方式で伝送する第５段階を含む。
【００２４】
一実施例において、第１段階で、マルチメディアコンテンツ共有要請信号は、第１端末のコミュニケーションサービスのインターフェースによって提供されるメニュー画面に含まれたマルチメディアコンテンツが第１端末で選択された場合に生成される。
【００２５】
一実施例において、マルチメディアコンテンツ共有要請信号は、コミュニケーションサービスの遂行中に第１端末から入力されるテキストデータに基づいて検索されるマルチメディアコンテンツを第１端末側で選択した場合に生成される。
【００２６】
一実施例において、マルチメディアコンテンツ共有要請信号は、第２端末に対してマルチメディアコンテンツのストリーミング方式の受信可否を質疑する要請メッセージを含む。
【００２７】
一実施例において、マルチメディアコンテンツ共有要請信号は、第５段階の後、第１端末及び第２端末の中の少なくともいずれか一方からマルチメディアコンテンツを相手や第３者への伝送を要求するプレゼント実行要請信号を受信し、第１端末及び第２端末の中の少なくともいずれか一方の決済によってマルチメディアコンテンツを相手または第３者に伝送する段階をさらに含む。
【００２８】
一実施例において、マルチメディアコンテンツ共有サービス提供方法は、第５段階の後、第１端末及び第２端末の中の少なくともいずれか一方からマルチメディアコンテンツを自分の端末にダウンロードするためのダウンロード要請信号を受信し、第１端末及び第２端末の中の少なくともいずれか一方の決済によってマルチメディアコンテンツを該当の端末に伝送する段階をさらに含む。
【００２９】
一実施例において、マルチメディアコンテンツ共有サービス提供方法は、第５段階の後、第１端末及び第２端末の中のいずれか一方からマルチメディアコンテンツ再生制御信号を受信し、マルチメディアコンテンツ再生制御信号を第１端末及び第２端末の中の他方に伝送する第６段階をさらに含む。ここで、第１端末及び第２端末の中の他方は、マルチメディアコンテンツ再生制御信号に基づいてマルチメディアコンテンツの再生に関連した制御を行う。
【００３０】
一実施例において、マルチメディアコンテンツ再生制御信号は、マルチメディアコンテンツの再生、中止、反復再生、前に移動、後に移動、音のボリューム調節の中の少なくともいずれか一つに対する制御信号を含む。
【００３１】
本発明のさらに他の側面によるマルチメディアコンテンツ共有サービスシステムは、第１端末と第２端末との間でコミュニケーションサービスを提供し、コミュニケーションサービスの遂行中に第１端末と第２端末側にマルチメディアコンテンツ共有サービスを提供するサービス提供システムであって、コミュニケーションサービスの遂行中に第１端末側から第２端末とのマルチメディアコンテンツ共有要請信号を受信することによって第２端末にマルチメディアコンテンツ共有可否を確認する信号を伝送し、これに対する応答信号を受信して第１端末に伝送し、第１端末から再生しようとするマルチメディアコンテンツの識別情報とマルチメディアコンテンツ再生要請信号を受信する信号処理サーバー；信号処理サーバーの要請に応えて識別情報に相応するマルチメディアコンテンツデータを抽出するコンテンツ管理サーバー；及び信号処理サーバーの要請に応えてコンテンツ管理サーバーから受けたマルチメディアコンテンツデータを第１端末及び第２端末にストリーミング方式で伝送するストリーミングサーバーを含む。
【００３２】
本発明のさらに他の側面によるマルチメディアコンテンツ共有サービス提供方法は、実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法であって、コミュニケーションサービスの遂行中に使用者端末で文字チャットまたは映像チャットによって送受信されるメッセージの中で前もって設定しておいたキーワードを実時間で自動で検出する第１段階；キーワードに相応するマルチメディアコンテンツデータを実時間で自動で抽出する第２段階；及び
マルチメディアコンテンツデータと文字チャットまたは映像チャット信号が合成またはオーバーレイされたビデオデータを文字チャットまたは映像チャットの相手端末に実時間で伝送する第３段階を含む。
【００３３】
本発明のさらに他の側面によるマルチメディアコンテンツ共有サービス提供方法は、実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法であって、コミュニケーションサービスの遂行中に使用者端末で文字チャットまたは映像チャットによって送受信されるメッセージの中で前もって設定しておいたキーワードを実時間で自動で検出する第１段階；文字チャットまたは映像チャット信号とキーワードを文字チャットまたは映像チャットの相手端末に実時間で伝送する第２段階；及び相手端末でキーワードに相応するマルチメディアコンテンツデータを抽出し、抽出したマルチメディアコンテンツデータと文字チャットまたは映像チャット信号を合成したビデオデータを画面に出力する第３段階を含む。
【００３４】
本発明のさらに他の側面によるマルチメディアコンテンツ共有サービス提供方法は、実時間文字チャットまたは映像チャットを含むコミュニケーションサービスを提供するサービス提供システムによる第１端末と第２端末のコミュニケーションサービスの遂行中に第１端末及び第２端末の中の少なくともいずれか一方の使用者端末からマルチメディアコンテンツを提供する方法であって、コミュニケーションサービスの遂行中に使用者端末で特定の音源またはＶＯＤ（Ｖｉｄｅｏ Ｏｎ Ｄｅｍａｎｄ）ファイルを実行する第１段階；第１段階での音源またはＶＯＤファイルのオーディオデータと使用者端末のマイクを通じて入力される使用者音声データを合成する第２段階；及び合成された音声信号をコミュニケーションサービスの相手端末に伝送する第３段階を含む。ここで、使用者端末は、音源またはＶＯＤファイルのオーディオデータを相手端末から受信した音声データと合成してスピーカーに出力し、相手端末は、使用者端末から受信した合成された音声信号をスピーカーに出力する。
【発明の効果】
【００３５】
本発明によれば、音声通話、音声チャット、つまり音声通話中のチャット、文字チャット、音声または映像メッセージ伝送、映像通話、映像チャットなどのような多様な形態のコミュニケーションサービスを実行している最中に、音楽や映画、電子本などのようなマルチメディアコンテンツをコミュニケーションサービスの使用者の全てが同時に簡便に用いることができるサービス提供方法及びシステムを提供することができる。
【００３６】
例えば、スマート端末間実時間文字チャット、音声通話中のチャット、または映像チャットサービスの遂行中に本発明のサービスに加入した加入者（顧客）は自分の端末に組み込まれた所定のアプリケーションから提供するメニューによるとか、チャット中に入力した特定のキーワード（例えば、歌の場合、歌手名、歌題目または作曲家など、本の場合、書名または著者、そして映画関連情報の場合、映画名、主人公の名前、または監督人など）によって相手と一緒に楽しみたい音楽（ＭＰ３など）、映画、本（ｅＢｏｏｋ）または多様なＶＯＤなどを選択することにより、相手と該当のマルチメディアコンテンツを同時にまたは一緒に聴取するとか視聴するとかビュー（Ｖｉｅｗ）することができる。
【００３７】
また、本発明によれば、スマート端末間実時間コミュニケーションサービスの遂行の際、コミュニケーションサービスの使用者が音楽を一緒に聴取するとかＶＯＤを一緒に視聴している最中に現在再生されている音楽、ＶＯＤまたは映画情報をクリックするとかタッチすることにより、再生した側から相手に該当のコンテンツをプレゼントすることができ、少なくとも受信側使用者が該当の音楽、ＶＯＤまたは映画などの購買を選択することで、該当のコンテンツを自分の端末などに保存することができるサービスを提供することができる。特に、第３者にプレゼントすることができるサービスを提供することで、多様な形態の他の事業との連携事業を誘導することができる。
【００３８】
また、本発明によれば、スマート端末間文字チャット、音声通話中のチャット、または映像チャットの遂行の際、所定のマルチメディアコンテンツを実時間同時聴取中または視聴中に該当のコンテンツの決済サービスのために携帯電話番号を用いる少額決済サービス、既存の音楽、ＶＯＤまたは映画サイト、またはクラウディングシステムとの連動によるストリーミングまたは音源アップロード／ダウンロードなどのサービス連動による決済サービス、そしてオープンマーケットまたは仮想商店との連動によるオンライン決済などの決済サービスを提供することができ、それによりマルチメディアコンテンツに対する有料化サービスの対象を拡張する効果がある。
【００３９】
また、本発明によれば、スマート端末と既存のレガシー２Ｇ／３Ｇネットワーク基盤の端末との間のコミュニケーションサービスの遂行の際、発信側スマート端末のアプリケーションと既存のレガシーネットワークの顧客を連結する連動サービス機能を提供することにより、互いに異なる網間のコミュニケーションサービス遂行の際、円滑に実時間マルチメディアコンテンツ共有サービスを提供することができる。
【図面の簡単な説明】
【００４０】
【図１】本発明の一実施例によるコミュニケーションサービスの遂行の際、マルチメディアコンテンツ共有サービス提供システムを説明する概略概念図である。
【００４１】
【図２】図１のマルチメディアコンテンツ共有サービス提供システムに採用可能な構成の一実施例の概略ブロック図である。
【００４２】
【図３】図２のマルチメディアコンテンツ共有サービス提供システムに採用可能なマルチメディアコンテンツ共有サービス提供方法のサービスの手続きの流れ図である。
【００４３】
【図４】図１の使用者端末間の映像チャット中に使用者端末で選択した音楽ファイルを実時間で聴取及び伝送する過程を説明する図である。
【００４４】
【図５】図１の使用者端末間の映像チャット中に使用者端末で選択したＶＯＤファイルを実時間で再生及び伝送する過程を説明する図である。
【００４５】
【図６】図１のマルチメディアコンテンツ共有サービス提供システムに採用可能な構成のさらに他の一実施例の概略ブロック図である。
【００４６】
【図７】図６のマルチメディアコンテンツ共有サービス提供システムに採用可能なマルチメディアコンテンツ共有サービス提供方法のサービスの手続きの流れ図である。
【００４７】
【図８】図１のマルチメディアコンテンツ共有サービス提供システムに採用可能な構成のさらに他の実施例の概略ブロック図である。
【００４８】
【図９】本発明の実施例によるシステム及び方法に採用可能なクライアント端末機の連動過程の一実施例の概念図である。
【００４９】
【図１０】本発明の実施例によるシステム及び方法に採用可能なプレゼント実行付加サービスの手続きの概念図である。
【００５０】
【図１１】本発明の実施例によるシステム及び方法に採用可能なダウンロード付加サービスの手続きの概念図である。
【００５１】
【図１２】本発明の実施例によるシステム及び方法に採用可能なマルチメディア共有サービスのさらに他の一実施例を説明する概念図である。
【００５２】
【図１３】本発明の実施例によるシステム及び方法に採用可能なマルチメディア共有サービスのさらに他の一実施例を説明する概念図である。
【発明を実施するための形態】
【００５３】
以下、添付図面に基づいて本発明の実施例を説明する。
【００５４】
図１は本発明の一実施例によるコミュニケーションサービスの遂行の際、マルチメディアコンテンツ共有サービス提供システムを説明する概略概念図である。
【００５５】
図１を参照すれば、マルチメディアコンテンツ共有サービス提供システム（１００、以下、簡単に‘サービス提供システム’という）はネットワークに連結されてコミュニケーションサービスを用いている使用者にコミュニケーションサービスの遂行中にマルチメディアコンテンツを共有するようにサービスする。
【００５６】
コミュニケーションサービスは、音声通話、音声チャット、文字チャット、映像通話、映像チャット、メッセージ伝送の中の少なくともいずれか一つの通話または通信サービスであることができる。
【００５７】
マルチメディアコンテンツは、ネットワークを介して伝送可能なすべてのオーディオデータまたはビデオデータ形態の音楽、映画、電子本（ｅ−ｂｏｏｋ）などを含む。
【００５８】
マルチメディアコンテンツの共有は、少なくとも一つの発信側端末及び少なくとも一つの着信側端末でマルチメディアコンテンツを映像合成した後に相手に伝送する方式、ファイル伝送方式、またはストリーミング伝送方式で提供して、発信側及び着信側使用者が該当のコンテンツを実質的に同時に聴取するとか視聴するとか閲覧することを指称する。
【００５９】
ネットワークは、有線または無線音声通信のためのネットワーク、有線または無線映像通話のためのネットワーク、ＩＰ（Ｉｎｔｅｒｎｅｔ Ｐｒｏｔｏｃｏｌ）基盤の通信ネットワーク、またはインターネットなどのように通話または通信機能を果たすことができるすべてのネットワークを含む。このようなネットワークは無線通信網やデータ網や衛星網を含むことができ、無線通信網は、例えばその伝送距離によってＢＡＮ（Ｂｏｄｙ Ａｒｅａ Ｎｅｔｗｏｒｋ）、ＰＡＮ（Ｐｅｒｓｏｎａｌ Ａｒｅａ Ｎｅｔｗｏｒｋ）、ＬＡＮ（Ｌｏｃａｌ Ａｒｅａ Ｎｅｔｗｏｒｋ）、ＭＡＮ（Ｍｅｔｒｏｐｏｌｉｔａｎ ＡｒｅａＮｅｔｗｏｒｋ）、ＷＡＮ（Ｗｉｄｅ Ａｒｅａ Ｎｅｔｗｏｒｋ）などに分類できる。
【００６０】
ネットワークには異種網または同種網に結合する少なくとも二つの使用者端末１１、１５が連結され、各使用者端末は発信側または着信側端末となることができる。このような使用者端末１１、１５は音声通話のための音声電話、映像通話のための映像電話、またはデータ通信のためのスマートフォン、タブレットＰＣ、スマートＴＶのようなスマート端末などとなることができる。スマート端末の場合、室内環境でのデータ通信のための無線ＬＡＮ処理部、音声通話やデータ送受信のためのセルラー（Ｃｅｌｌｕｌａｒ）基盤のＷＡＮ処理部、位置情報確認などのためにＧＰＳ信号を受信するための無線通信処理部などが搭載されるように構成されることができる。
【００６１】
この実施例のサービス提供システム１００によれば、ネットワーク上で少なくとも二つの使用者端末が、コミュニケーションサービスを終了するとか別途の応用プログラム（例えば、ファイル伝送プログラムなど）を遂行する必要がなく、コミュニケーションサービスを実行している最中に発信側または着信側端末の使用者がコミュニケーションサービスを提供するアプリケーションのメニューによってマルチメディアコンテンツ共有サービス要請信号を生成することにより、選択されたマルチメディアコンテンツを発信側端末と着信側端末の使用者が同時に用いるようにすることができる。
【００６２】
例えば、お父ちゃんと映像通話を行っている息子がお父ちゃんと共に歌いたい歌に相応するマルチメディアコンテンツを自分の端末で選択すれば、サービス提供システムは息子の端末に保存されていた該当の歌ファイルをお父ちゃんの端末に伝送するとかその歌のマルチメディアコンテンツデータをストリーミング方式で息子のスマート端末とお父ちゃんのスマート端末に伝送することで、息子とお父ちゃんが互いに映像通話を行いながら映像通話データにバックグラウンドで合成された歌を聞くことができるようにサービスすることができる。
【００６３】
さらに他の例を挙げれば、電子本で勉強していた娘が電子本の特定の内容を訊いて見ようとお母ちゃんに電話をかけて音声または映像通話を連結し、自分の端末の所定アプリケーションから提供するマルチメディアコンテンツ共有メニューを選択すれば、サービス提供システムは該当の電子本を娘の端末から受けてお母ちゃんの端末に伝送するとかサービス提供システム側からアクティブサーバーページ（ＡＳＰ：Ａｃｔｉｖｅ Ｓｅｒｖｅｒ Ｐａｇｅ）、ＸＭＬ（ｅＸｔｅｎｄｅｄ Ｍａｒｋｕｐ Ｌａｎｇｕａｇｅ）、フラッシュ（Ｆｌａｓｈ）、ＨＴＴＰ（Ｈｙｐｅｒ Ｔｅｘｔ Ｔｒａｎｓｆｅｒ Ｐｒｏｔｏｃｏｌ）などで製作されたウェブページ形態の文書である該当のマルチメディアコンテンツを娘とお母ちゃんの端末に実時間で提供することにより、娘とお母ちゃんが同じ電子本を一緒に見ながら通話することができるようにサービスすることができる。この際、アプリケーションは、娘とお母ちゃんの端末画面の大部分を電子本表示領域に、そして画面の一部分を映像通話画面の表示領域やアプリケーション提供メニューの表示領域に提供することができる。
【００６４】
ここで、アプリケーションはモバイルアプリケーションを指称し、このようなモバイルアプリケーションは端末やネットワークのアーキテクチャの側面で見るとき、一番最上位に位置するアプリケーションレイヤードで動作するモジュールである。すなわち、モバイルアプリケーションは、使用者の側面では使用者が直接活性／非活性（Ａｃｔｉｖａｔｅ／Ｄｅａｃｔｉｖａｔｅ）を統制し、通話、情報習得、エンターテイメントなどの機能を提供するモジュールであり、事業者の側面では該当のアプリケーションによって使用者に特定のサービス、例えばこの実施例のマルチメディアコンテンツ共有サービスを提供するとか使用者に課金を付加することができる個体として機能することができる。この実施例において、アプリケーションは、コミュニケーションサービス、マルチメディアコンテンツ共有サービス、及びマルチメディアコンテンツ共有サービスの付加サービスの全てを使用者端末に提供するとかマルチメディアコンテンツ共有サービス及び付加サービスの中の少なくともいずれか一方を使用者端末に提供する一つまたは複数のアプリケーションから具現されることができる。このようなアプリケーションは、ネットワークを介してサービス提供システムと連動し、サービス提供システムから提供するサービスを使用者が手軽く用いるようにするためのもので、端末の種類や形態、端末に組み込まれるオペレーティングシステム（Ｏｐｅｒａｔｉｎｇ Ｓｙｓｔｅｍ）の種類やバージョン、開発言語の種類などによって多様な形態及び構成が具現可能である。
【００６５】
図２は図１のマルチメディアコンテンツ共有サービス提供システムに採用可能な構成の一実施例の概略ブロック図である。
【００６６】
図２を参照すれば、サービス提供システム１００ａは、信号処理サーバー１３１及びマルチメディアコンテンツ中継サーバー１３２ａを備える。
【００６７】
信号処理サーバー１３１は、ネットワークを介してコミュニケーションサービスを遂行しようとする使用者端末がマルチメディアコンテンツ共有サービスの加入者または顧客であるかを識別し、使用者端末でのサービス要請信号に応じてマルチメディアコンテンツ共有サービスを提供するためのシナリオを遂行する。
【００６８】
例えば、信号処理サーバー１３１は、コミュニケーションサービスの遂行中に発信側または着信側端末からマルチメディアコンテンツ共有要請信号を受信し、その信号に応じて該当の端末間にマルチメディアコンテンツデータ伝送のためのセッションを形成することができる。
【００６９】
マルチメディアコンテンツ中継サーバー１３２ａは、コミュニケーションサービスの遂行中に複数の端末が同時にマルチメディアコンテンツを共有するように、信号処理サーバー１３１によって形成された該当のファイル伝送セッションによって該当のコンテンツに相応するマルチメディアファイルを一側使用者端末から他側使用者端末に伝送する。
【００７０】
この実施例によるサービス提供システム１００ａは、第１端末と第２端末との間のコミュニケーションサービスの遂行の際、マルチメディアコンテンツ共有サービスに対する加入者登録や認証などのために登録サーバー（ＲＳ：Ｒｅｇｉｓｔｒａｔｉｏｎ Ｓｅｒｖｅｒ）を含むことができる。
【００７１】
図３は図２のマルチメディアコンテンツ共有サービス提供システムに採用可能なマルチメディアコンテンツ共有サービス提供方法の一実施例のサービスの手続きの流れ図である。
【００７２】
図３に示すように、マルチメディアコンテンツ共有サービス提供方法は、信号処理サーバー１３１及びマルチメディアコンテンツ中継サーバー１３２ａを備えるサービス提供システムにおいてコミュニケーションサービスを実行する使用者端末の中の少なくともいずれか一つから受けたマルチメディアコンテンツ共有要請信号に応じて使用者端末間にファイル伝送セッションを形成して該当のコンテンツを共有するようにする。
【００７３】
この実施例において、サービス提供システムは、信号処理サーバー１３１としてシグナリングサーバー（ＳＳ：Ｓｉｇｎａｌｉｎｇ Ｓｅｒｖｅｒ）を備え、マルチメディアコンテンツ中継サーバー１３２ａとしてリレーサーバー（Ｒｅｌａｙ Ｓｅｒｖｅｒ）を備える。リレーサーバーは、ＭＳＲＰサーバー１３５を含むことができる。メッセージセッションリレープロトコル（ＭＳＲＰ：Ｍｅｓｓａｇｅ Ｓｅｓｓｉｏｎ Ｒｅｌａｙ Ｐｒｏｔｏｃｏｌ）は移動電話通信サービスを提供するＩＰマルチメディアサブシステム（ＩＭＳ：Ｉｎｔｅｒｎｅｔ Ｐｒｏｔｏｃｏｌ Ｍｕｌｔｉｍｅｄｉａ Ｓｕｂｓｙｓｔｅｍ）の使用に適用されるＲＣＳ（Ｒｉｃｈ Ｃｏｍｍｕｎｉｃａｔｉｏｎ Ｓｕｉｔｅ）コンテンツ、特に実時間直接テキスト基盤の通信形態であるインスタントメッセージング（ＩＭ：Ｉｎｓｔａｎｔ Ｍｅｓｓａｇｉｎｇ）、コンピュータネットワークまたはインターネットを介してファイルを伝送するファイルトランスファー（Ｆｉｌｅ ｔｒａｎｓｆｅｒ）、移動電話中に使用者の間でイメージ共有を支援するイメージシェア（Ｉｍａｇｅ Ｓｈａｒｅ）などの機能または動作のために用いられることができる。
【００７４】
この実施例によるマルチメディアコンテンツ共有サービス提供方法の手続きをより具体的に説明すれば次のようである。
【００７５】
まず、第１端末１５と第２端末１３との間に形成されたＩＰ基盤マルチメディアサービスセッションによって使用者が音声電話、ボイスメール、インスタントメッセージング、映像通話、映像チャット、またはこれらの組合せの中のいずれか一つのコミュニケーションサービスを実行する中（Ｓ３１０）、第１端末１５の使用者は端末に組み込まれた所定アプリケーションによって第２端末１３の使用者と一緒に聴取または視聴しようとする音源または動画ファイル（Ｆｉｌｅ）を選択し（Ｓ３２１）、選択したファイルに対するファイル伝送を選択する（Ｓ３２３）。
【００７６】
使用者の選択によって、第１端末１５のアプリケーションはサービス提供システムにマルチメディアコンテンツ共有を要請し、マルチメディアコンテンツ共有サービスに第２端末１３を招待するための信号をサービス提供システムのＳＳ１３１に伝送する（Ｓ３２５）。このようなマルチメディアコンテンツ共有要請信号は、例えば第１端末１５のコミュニケーションサービスのインターフェースによって提供されるメニュー画面で使用者が特定のマルチメディアコンテンツを選択した場合、ＭＳＲＰ（Ｍｅｓｓａｇｅ Ｓｅｓｓｉｏｎ Ｒｅｌａｙ Ｐｒｏｔｏｃｏｌ）セッション情報がＳＤＰ（Ｓｅｓｓｉｏｎ Ｄｅｓｃｒｉｐｔｉｏｎ Ｐｒｏｔｏｃｏｌ）に付け加わったＩＮＶＩＴＥメッセージの形態に生成されてＳＳ１３１に伝送されることができる。ＳＳ１３１は、第１端末１５から受けたＩＮＶＩＴＥメッセージを第２端末１３に伝達する（Ｓ３２７）。そして、ＳＳ１３１は、第２端末１３への連結を試みていることを知らせる応答メッセージ（１００ Ｔｒｙｉｎｇ）を第１端末１５に伝達する（Ｓ３２９）。このような応答メッセージは、ネットワークの遅延の際に第１端末１５にＩＮＶＩＴＥメッセージを再伝送することを防止するためのものである。
【００７７】
第２端末１３においてＭＳＲＰセッション情報が承認（Ａｃｃｅｐｔ）されれば、ＳＳ１３１は第２端末１３から第２端末１３のＭＳＲＰセッション情報が載せられた応答メッセージ（２００ ＯＫ）を受ける（Ｓ３３１）。そして、ＳＳ１３１は第２端末１３から受けた２００ ＯＫメッセージを第１端末１５にフォワーディングする（Ｓ３３３）。
【００７８】
ＳＳ１３１は第１端末１５からＡＣＫメッセージを受ける（Ｓ３３５）。このようなＡＣＫメッセージによって、ＳＳ１３１に連結されたＭＳＲＰサーバー１３５は第１端末１５に連結される。ＳＳ１３１は、第１端末１５からのＡＣＫメッセージを第２端末１３に伝送する（Ｓ３３７）。このようなＡＣＫメッセージが第２端末１３に伝達されれば、ＭＳＲＰサーバー１３５は第２端末１３に連結される。前述した過程によって第１端末１５と第２端末１３との間にＭＳＲＰサーバー１３５を経由するファイル伝送セッションが形成される（Ｓ３４０）。
【００７９】
第１端末１５は、使用者のファイル伝送メニューの選択によって、該当の音源や動画ファイルなどのマルチメディアコンテンツデータをＭＳＲＰ ＳＥＮＤメッセージに載せて第２端末１３側に伝送する（Ｓ３５１）。ＭＳＲＰ ＳＥＮＤメッセージが正常に受信されれば、ＭＳＲＰサーバー１３５はメッセージ受信成功を知らせるための２００ ＯＫメッセージを第１端末１５に伝送する（Ｓ３５３）。
【００８０】
ＭＳＲＰサーバー１３５は第２端末１３にＭＳＲＰ ＳＥＮＤメッセージを伝送する（Ｓ３５５）。ＭＳＲＰ ＳＥＮＤメッセージが正常に第２端末１３に伝送されれば、ＭＳＲＰサーバー１３５は第２端末１３から該当のメッセージが正常に伝達されたことを知らせる２００ ＯＫメッセージを受ける（Ｓ３５７）。
【００８１】
ＭＳＲＰサーバー１３５は、第２端末１３からＭＳＲＰ ＳＥＮＤメッセージに含まれたマルチメディアコンテンツデータを正常に受けたか失敗したかを知らせるＭＳＲＰ ＲＥＰＯＲＴメッセージを受ける（Ｓ３５９）。第２端末１３がマルチメディアコンテンツデータを正常に受けたら、ＭＳＲＰサーバー１３５はファイル伝送結果、例えばファイル伝送の成功を知らせるＭＳＲＰ ＲＥＰＯＲＴメッセージを第１端末１５に伝送する（Ｓ３６１）。一方、第１端末１５のアプリケーションはＭＳＲＰサーバー１３５から受けたＭＳＲＰ ＲＥＰＯＲＴメッセージによってファイル伝送結果を確認し（Ｓ３６３）、確認結果がファイル伝送失敗であれば、使用者に再伝送可否を確認する（Ｓ３６５）。ここで、使用者が再伝送を選択すれば、第１端末１５のアプリケーションは既選択の音源または動画ファイルを再伝送するために、前記段階（Ｓ３５１）の直前に戻る。一方、使用者が再伝送を選択しなければ、アプリケーションはコミュニケーションサービスの遂行中にマルチメディアコンテンツ共有サービスの手続きを終了する。
【００８２】
前記段階（Ｓ３６３）の確認結果、ファイル伝送が成功であれば、ＳＳ１３１は第１端末１５から再生指示信号を受ける（Ｓ３６７）。このような再生指示信号は、コンテンツ（Ｃｏｎｔｅｎｔ）フィールドに所定規格に定義された実行命令（ＰＬＡＹ ｃｏｍｍａｎｄ）が載せられたＳＩＰ ＭＥＳＳＡＧＥ形態に具現されることができる。ＳＳ１３１は、第１端末１５から受けた再生指示信号を第２端末１３に伝達する（Ｓ３６９）。ＳＳ１３１は、第２端末１３から実行命令を受信したことを知らせる２００ ＯＫメッセージを受け（Ｓ３７１）、第２端末１３で実行命令を受信したことを知らせる２００ ＯＫメッセージを第１端末１５に伝達する（Ｓ３７３）。ここで、実行命令が載せられたＳＩＰメッセージまたは再生指示信号はマルチメディアコンテンツの再生を開始する時間についての時間情報を含むことができる。このような時間情報は、第１端末１５と第２端末１３が実質的に同一時間に該当のコンテンツの再生を開始するようにする。もちろん、この実施例に適用可能なさらに他の側面では、該当のコンテンツの再生を開始する時点は実行命令が載せられたＳＩＰメッセージの受信を確認する時点または実行命令が載せられたＳＩＰメッセージに対する応答信号の受信を確認する時点となることができる。
【００８３】
前述した過程によって、第１端末１５で先に選択したマルチメディアファイルが再生され（Ｓ３７５）、これと同時に第２端末１３でも第１端末１５から受けたマルチメディアファイルが再生される（Ｓ３７７）。
【００８４】
前述した過程の後、ＳＳ１３１は、第１端末１５からファイル伝送及びファイル再生結果の報告を受けることができる（Ｓ３７９）。ファイル伝送及び再生の結果はコンテンツ（Ｃｏｎｔｅｎｔ）フィールドに所定規格に定義された報告命令（Ｒｅｐｏｒｔ ｃｏｍｍａｎｄ）が載せられたＳＩＰ ＭＥＳＳＡＧＥ形態として伝送されることができる。その場合、ＳＳ１３１は、第１端末１５から受けたファイル伝送及び再生結果の報告に対する記録を保存し、報告（Ｒｅｐｏｒｔ）メッセージを受信したことを知らせる２００ ＯＫメッセージを第１端末１５に伝送することができる。
【００８５】
ファイル再生が終われば、第１端末１５のアプリケーションは、使用者に該当のファイルの反復再生可否を確認し（Ｓ３８３）、使用者が反復再生を選択すれば、前記段階（Ｓ３６７）直前に戻り、前記段階（Ｓ３６７）以降の過程をさらに遂行することができる。一方、前記段階（Ｓ３８３）の確認結果、使用者が反復再生を選択しないとか終了を選択するとかすれば、第１端末１５のアプリケーションはファイル伝送セッションに対するＳＩＰ ＢＹＥメッセージをＳＳ１３１を介して第２端末１３に伝送し、第２端末１３はファイル伝送セッションを解除し、２００ ＯＫメッセージをＳＳ１３１を介して第１端末１５に伝送して第１端末１５とのファイル伝送セッションを終了することで、コミュニケーションサービスの遂行中にマルチメディアコンテンツ共有サービスシナリオを終了する。そして、第１端末１５においてマルチメディアコンテンツ共有サービス利用を終了するとかあるいは一定時間が経過すれば、第２端末１３のアプリケーションは、第２端末１３に一次保存されているマルチメディアコンテンツデータを自動削除するように動作することができる（Ｓ３８５）。
【００８６】
図４及び図５はＩＰネットワークによるスマート端末間の映像チャット中に顧客が選択した音楽ファイルまたはＶＯＤファイルに対して使用者端末のアプリケーション（ａｐｐｌｉｃａｔｉｏｎ、以下、簡単に‘アプ（Ａｐｐ）’ともいう）内で音声合成または映像合成方法によって相手に伝送するための方法を示したものである。この実施例によれば、それぞれのスマート端末のアプリケーション（アプ）でマルチメディアコンテンツをミキシング（Ｍｉｘｉｎｇ）及び合成を行って相手の端末に伝送することで、それぞれの端末から伝送するとか受けた文字から特定のテキストキーワードを抽出した後、キーワードに相応するコンテンツを捜して実行する方式ではなく、伝送側の端末アプリケーション（アプ）で音声またはビデオ（Ｖｉｄｅｏ）データをミキシングした後に相手に伝送する方式にあたる。また、プレゼント実行機能または相手の保存またはダウンロードの機能を使うために、音源ファイルのメタ（Ｍｅｔａ）データまたはこの実施例のサービス提供システムとの連動によって選択されたファイルの情報を相手に伝達することができる。
【００８７】
図４は図２の方法に採用可能な音楽ファイルサービス提供過程を説明するクライアント端末のブロック図である。
【００８８】
図４を参照すれば、使用者端末間の映像チャット中に少なくともいずれか一方の使用者端末で選択した音楽ファイルを使用者自身の音声と合成して実時間で聴取するとか相手に伝送することができる。すなわち、この実施例によるマルチメディアサービス提供システムに連結された使用者端末間の映像チャット中に発信側または着信側使用者端末で所定の音楽ファイルが選択されれば、該当の使用者端末では音声ミキシング（Ａｕｄｉｏ Ｍｉｘｉｎｇ）法によって合成された音楽ファイルを再生しながら相手端末に合成された音楽ファイルを実時間で伝送することができる。
【００８９】
このような使用者端末は、例えば少なくとも一つのＲＴＰ（Ｒｅａｌ−ｔｉｍｅ Ｐｒｏｔｏｃｏｌ）通信インターフェース、少なくとも一つのジッターバッファ（Ｊｉｔｔｅｒ Ｂｕｆｆｅｒ）、少なくとも一つのデコーダ（Ｄｅｃｏｄｅｒ）、少なくとも一つのエンコーダ（Ｅｎｃｏｄｅｒ）、及び少なくとも一つのミキサー（Ｍｉｘｅｒ）を備えた本体２１０を備えることができる。また、使用者端末は受信されたビデオ及び／またはオーディオデータを出力するディスプレイ（Ｄｉｓｐｌａｙ）２３１及びスピーカー（Ｓｐｅａｋｅｒ）２３５、外部映像を撮影するカメラ（Ｃａｍｅｒａ）２３３、外部のオーディオ情報が入力されるマイク（Ｍｉｃｒｏｐｈｏｎｅ）２３７などを備えることができる。
【００９０】
この実施例による使用者端末での映像チャット中に音楽の聴取及び伝送の過程をより具体的に説明すれば、まず使用者端末で特定の音源（Ｍｕｓｉｃ）２５０が実行される（Ｓ１）。ここで、音源２５０は歌ファイル、背景音楽、効果音などのオーディオファイルを含む。
【００９１】
音源２５０が実行され、映像通話中に相手に伝達する使用者の音声データがマイク２３７を通じて入力されれば（Ｓ２）、使用者端末のアプリケーションは、音源２５０と使用者音声データを伝送側ミキサー（Ｍｉｘｅｒ）で合成し（Ｓ３）、合成された音声を映像チャット中の相手に伝達する（Ｓ４）。そして、アプリケーションは、音源２５０と相手端末から受信した音声データを受信側ミキサーで合成し（Ｓ５）、合成された音声をスピーカー２３５で出力する（Ｓ６）。
【００９２】
この実施例によれば、サービス提供システムは、使用者端末と相手端末との間にファイル伝送セッションを形成し、両端末間のメッセージ送受信を中継し、映像チャット参加者の全てが同時に聴取しようとする音源の実時間送受信を支援することで、両端末で映像チャット中にストリーミング方式でマルチメディアコンテンツを実時間で同時に聴取することができるようにする。
【００９３】
図５は図２の方法に採用可能なＶＯＤファイルサービス提供過程を説明する使用者端末のブロック図である。
【００９４】
図５を参照すれば、発信側及び着信側使用者端末間の映像チャット中に少なくともいずれか一方の使用者端末で選択したＶＯＤファイルを実時間で再生するとか相手端末に伝送することができる。すなわち、スマート端末間の映像チャット中に発信側または着信側スマート端末の使用者が所定のビデオオンデマンド（ＶＯＤ、Ｖｉｄｅｏ Ｏｎ Ｄｅｍａｎｄ）ファイルを選択すれば、該当のスマート端末で使用者音声及び／または相手音声とＶＯＤ音声を合成した音声信号とともにＶＯＤ映像を自分の端末で再生しながら相手端末に合成された音声信号とＶＯＤ映像を実時間で伝送することで、映像チャットの参加者等が映像チャット中にＶＯＤファイルを一緒に視聴することができるようになる。使用者端末の受信端（ＲＥＣＶ）と送信端（ＳＥＮＤ）はネットワークを介してマルチメディアサービス提供システムに連結される。
【００９５】
この実施例による使用者端末での映像チャット中にＶＯＤファイルの再生及び伝送過程をより具体的に説明すれば、まず使用者端末に組み込まれたアプリケーションによって使用者は映像チャットの相手と同時に視聴するＶＯＤファイル２６０を実行する（Ｓ１）。
【００９６】
ＶＯＤファイル２６０が実行され、映像通話中に相手に伝達する使用者の音声データがマイク２３７を通じて入力されれば（Ｓ２）、使用者端末のアプリケーションは使用者音声とＶＯＤ音声を伝送側ミキサー（Ｍｉｘｅｒ）で合成し（Ｓ３）、合成された音声信号を映像チャット中の相手に伝達し（Ｓ４）、ＶＯＤファイル２６０のＶＯＤ映像を相手端末に伝送する（Ｓ５）。そして、アプリケーションは、使用者端末に受信された相手音声とＶＯＤ音声を受信側ミキサーで合成し（Ｓ６）、合成された音声をスピーカー２３５で出力し（Ｓ７）、自分のディスプレイ２３１に相手端末から受信した映像とＶＯＤ映像を受信側ミキサーで合成し（Ｓ８）、合成された映像を使用者端末のディスプレイ装置２３１で再生する（Ｓ９）。
【００９７】
この実施例によれば、サービス提供システムは、使用者端末と相手端末との間に映像通話セッションを形成し、両端末間のメッセージ送受信とともに映像チャット参加者等の全てが同時に聴取しようとするＶＯＤファイルの実時間送受信を支援することで、両端末で映像チャット中にストリーミング方式でマルチメディアコンテンツを実時間で同時に聴取することができるようにする。
【００９８】
図６は図１のマルチメディアコンテンツ共有サービス提供システムに採用可能な構成のさらに他の一実施例の概略ブロック図である。
【００９９】
図６を参照すれば、サービス提供システム１００ｂは、信号処理サーバー１３１及びマルチメディアコンテンツ中継サーバー１３２ｂを備える。マルチメディアコンテンツ中継サーバー１３２ｂは、コンテンツ管理サーバー（ＣＭＳ：Ｃｏｎｔｅｎｔｓ Ｍａｎａｇｅｍｅｎｔ Ｓｅｒｖｅｒ）１２３及びストリーミングサーバー（ＳＴＳ：Ｓｔｒｅａｍｉｎｇ Ｓｅｒｖｅｒ）１２５を備える。
【０１００】
信号処理サーバー１３１は、コミュニケーションサービスの遂行中に第１端末または第２端末から受けたマルチメディアコンテンツ共有要請信号に基づいてマルチメディアコンテンツデータをストリーミング方式で該当の端末に伝送するように信号処理動作を遂行する。この実施例において、マルチメディアコンテンツ共有要請信号は第１端末１５から受けたマルチメディアコンテンツ受信同意要請信号を含む。
【０１０１】
例えば、信号処理サーバー１３１は、第１端末１５のマルチメディアコンテンツ受信同意要請信号と第２端末１７のマルチメディアコンテンツ受信同意応答信号を処理し、第１端末１５のストリーミング要請信号に応じてストリーミングサーバー１２５にマルチメディアコンテンツデータのストリーミング伝送を要請する。
【０１０２】
コンテンツ管理サーバー１２３は、信号処理サーバー１３１からストリーミング要請信号に含まれたコンテンツ識別子に相応するマルチメディアコンテンツデータを保存する。マルチメディアコンテンツデータは外部のコンテンツ提供者から供給されることができる。
【０１０３】
ストリーミングサーバー１２５は、信号処理サーバー１３１の要請に応えてコンテンツ管理サーバー１２３から受けたマルチメディアコンテンツデータをストリーミング方式で第１端末１５と第２端末１７に伝送する。
【０１０４】
この実施例によるサービス提供システム１００ｂは、第１端末１５と第２端末１７との間のコミュニケーションサービスとしてインスタントメッセージングサービスを提供するためにＭＳＲＰサーバーを含むことができる。
【０１０５】
図７は図６のマルチメディアコンテンツ共有サービス提供システムに採用可能なマルチメディアコンテンツ共有サービス提供方法のサービスの手続きの流れ図である。
【０１０６】
図７に示すように、マルチメディアコンテンツ共有サービス提供方法は、信号処理サーバー１３１、コンテンツ管理サーバー１２３及びストリーミングサーバー１２５を備えるサービス提供システムにおいてコミュニケーションサービスを実行する使用者端末の中の少なくともいずれか一つから受けたマルチメディアコンテンツ共有要請信号に応じて該当のマルチメディアコンテンツをストリーミング方式で提供することで、使用者が該当のコンテンツを共有するようにする。
【０１０７】
この実施例において、サービス提供システムは信号処理サーバーとしてＳＳ１３１を備え、マルチメディアコンテンツ中継サーバー１３２ｂとしてコンテンツ管理サーバー１２３とストリーミングサーバー１２５を備える。
【０１０８】
この実施例によるマルチメディアコンテンツ共有サービス提供方法の手続きをより具体的に示せば次のようである。
【０１０９】
第１端末１５の使用者と第２端末１７の使用者は文字チャットまたは映像チャット中である（Ｓ７１０）。ここで、文字または映像チャットのためのコミュニケーションサービス画面を第１端末１５または第２端末１７に提供するこの実施例のアプリケーションはコミュティケイションサービス画面にマルチメディアコンテンツ共有サービスに使うテキスト入力窓、ミュージックメニュー、ＶＯＤ（Ｖｉｄｅｏ Ｏｎ Ｄｅｍａｎｄ）メニュー、ミュージック／ＶＯＤ制御メニューなどを提供することができる。
【０１１０】
文字または映像チャットの状態で、第１端末１５に組み込まれたアプリケーションによってチャットウィンドーに入力される使用者のテキストの中の特定のキーワードを認識するとか第１端末１５の画面に表示されるミュージック／ＶＯＤメニューに対する使用者選択を認識し（Ｓ７２１）、ストリーミング（Ｓｔｒｅａｍｉｎｇ）方式でファイル伝送に対する使用者入力を認識すれば（Ｓ７２３）、第１端末１５は第２端末１７にストリーミング受信を同意するかを質疑するコンテンツ受信同意質疑要請メッセージをＳＳ１３１に伝送する（Ｓ７２５）。
【０１１１】
ＳＳ１３１は、コンテンツ受信同意質疑要請メッセージを第２端末１７に伝送し、第２端末１７がストリーミング受信を同意するかを質疑する（Ｓ７２７）。ここで、コンテンツ受信同意質疑要請メッセージはマルチメディアコンテンツ共有要請信号に対応することができる。第２端末１７においてマルチメディアコンテンツに対するストリーミング受信に同意すれば（Ｓ７２９）、ＳＳ１３１は、第２端末１７から同意可否決定内容が含まれたコンテンツ受信同意質疑応答メッセージを受け（Ｓ７３１）、第２端末１７の同意可否決定内容を第１端末１５に伝送する（Ｓ７３３）。第１端末１５は第２端末１７のストリーミング方式のコンテンツ受信同意可否を確認し、同意すれば、以降の手続きを進め、同意しなければ、この手続きを終了する（Ｓ７４０）。
【０１１２】
第２端末１７の同意によって第１端末１５はコンテンツ検索要請メッセージをＳＳ１３１に伝送する（Ｓ７５１）。コンテンツ検索要請メッセージはコンテンツ識別子（Ｃｏｎｔｅｎｔ ＩＤ）によってコンテンツ情報を検索するためのものである。コンテンツ情報はコーデック情報と該当のコンテンツに対するストリーミング連結情報を含む。コンテンツ識別子は、第１端末１５の使用者が選択したマルチメディアコンテンツを識別するのに用いられる一連の数字、文字、記号、またはこれらの組合せを指称する。コンテンツ識別子は、第１端末１５、第２端末１７及びサービス提供システムで同一マルチメディアコンテンツを認識するように設定されることが好ましい。
【０１１３】
ＳＳ１３１は、第１端末１５の要請に応えてコンテンツ情報を要請するコンテンツ検索要請信号をＣＭＳ１２３に伝送する（Ｓ７５３）。ＣＭＳ１２３は、コンテンツ検索応答メッセージをＳＳ１３１に伝送する（Ｓ７５５）。コンテンツ検索応答メッセージはＳＳ１３１で検索したマルチメディアコンテンツのコーデック情報とストリーミング連結情報を含む。ＳＳ１３１はコンテンツ検索応答メッセージを第１端末１５に伝送する（Ｓ７５７）。
【０１１４】
コンテンツ検索応答メッセージを受けた第１端末１５はコンテンツ共有情報伝送要請メッセージをＳＳ１３１に伝送する（Ｓ７６１）。コンテンツ共有情報伝送要請メッセージは第２端末１７にストリーミング方式で伝送されるコンテンツ情報を伝達するためのもので、ストリーミング方式で伝送されるコンテンツ情報は該当のコンテンツのコーデック情報とストリーミング連結情報を含む。ＳＳ１３１は、コンテンツ情報を含むコンテンツ共有情報を第２端末１７に伝送する（Ｓ７６３）。
【０１１５】
コンテンツ情報を受けた第２端末１７はコンテンツ共有情報受信通知メッセージをＳＳ１３１に伝送する（Ｓ７６５）。ＳＳ１３１は、第２端末１７がコンテンツ情報を受信したことを知らせるコンテンツ共有情報受信通知メッセージを第１端末１５に伝送する（Ｓ７６７）。
【０１１６】
第２端末１７は、コンテンツ情報内のコンテンツストリーミング連結情報を用いてＳＴＳ１２５に接続する（Ｓ７６９）。第１端末１５もコンテンツ情報内のコンテンツストリーミング連結情報を用いてＳＴＳ１２５に接続する（Ｓ７７１）。このような接続によって第１端末１５とＳＴＳ１２５との間、及びＳＴＳ１２５と第２端末１７との間にストリーミングセッションが連結される。
【０１１７】
ストリーミングセッションの連結が完了すれば、ＳＴＳ１２５は、第１端末１５に該当のマルチメディアコンテンツをストリーミング方式で伝送し始め（Ｓ７７５）、実質的にそれと同時に第２端末１７に該当のマルチメディアコンテンツをストリーミング方式で伝送し始める（Ｓ７７７）。この際、第１端末１５及び第２端末１７は、ＳＴＳ１２５からストリーミング方式で受けるビデオ信号とオーディオ信号を出力する。コンテンツ情報に相応するマルチメディアコンテンツデータはＣＭＳ１２３からＳＴＳ１２５に提供できる。
【０１１８】
マルチメディアコンテンツに対するストリーミング伝送が完了すれば、ＳＴＳ１２５は第１端末１５及び第２端末１７とのストリーミングセッションの連結を終了する（Ｓ７８１、Ｓ７８３）。ストリーミングセッションの連結が終了すれば、第１端末１５または第２端末１７は、映像チャットの場合、相手端末からの映像と音声を出力して映像通話を進行させる。
【０１１９】
第１端末１５のアプリケーションは、ストリーミングセッションの連結の終了によって、第１端末１５の使用者にマルチメディアコンテンツの反復再生可否を確認することができる（Ｓ７８５）。使用者の反復再生または再生終了の選択によって、第１端末１５のアプリケーションは前記段階（Ｓ７６１）に戻り、その以降のコンテンツ共有手続きを繰り返し遂行するとか本サービスの手続きを終了することができる。
【０１２０】
図８は図１のマルチメディアコンテンツ共有サービス提供システムに採用可能な構成のさらに他の実施例の概略ブロック図である。
【０１２１】
図８を参照すれば、マルチメディアコンテンツ共有サービス提供システム１００ｃは、メディアゲートウェイサーバー（ＭＧＷ：Ｍｅｄｉａ Ｇａｔｅｗａｙ）１１０、ウェブアプリケーションサーバー（ＷＡＳ：Ｗｅｂ Ａｐｐｌｉｃａｔｉｏｎ Ｓｅｒｖｅｒ）１２１、コンテンツ管理サーバー（ＣＭＳ：Ｃｏｎｔｅｎｔｓ Ｍａｎａｇｅｍｅｎｔ Ｓｅｒｖｅｒ）１２３、ストリーミングサーバー（ＳＴＳ：Ｓｔｒｅａｍｉｎｇ Ｓｅｒｖｅｒ）１２５、データベースシステム（ＤＢＳ：Ｄａｔａ Ｂａｓｅ Ｓｙｓｔｅｍ）１２７、運営管理サーバー（ＯＭＳ：Ｏｐｅｒａｔｉｏｎ ａｄｍｉｎｉｓｔｒａｔｉｏｎ ａｎｄ Ｍａｎａｇｅｍｅｎｔ Ｓｅｒｖｅｒ）１２９、ＳＩＰ信号処理サーバー（ＳＳ：ＳＩＰ Ｓｉｇｎａｌｉｎｇ Ｓｅｒｖｅｒ）１３１、登録サーバー（ＲＳ：Ｒｅｇｉｓｔｒａｔｉｏｎ Ｓｅｒｖｅｒ）１３３、メッセージセッションリレープロトコル（ＭＳＲＰ：Ｍｅｓｓａｇｅ Ｓｅｓｓｉｏｎ Ｒｅｌａｙ Ｐｒｏｔｏｃｏｌ）サーバー１３５、及びビリングサーバー（ＢＳ：Ｂｉｌｌｉｎｇ Ｓｅｒｖｅｒ）１３７を備える。このようなサービス提供システム１００ｃにおいてそれぞれの機能を担当するサーバーはそれに相応する機能を果たす構成部またはモジュールを指称し、それらは互いに組み合わせられて少なくとも一つの装置を構成することができる。
【０１２２】
ＭＧＷ（Ｍｅｄｉａ Ｇａｔｅｗａｙ）１１０は互いに異なる電話通信ネットワーク、例えばＰＳＴＮ（Ｐｕｂｌｉｃ ｓｗｉｔｃｈｅｄ ｔｅｌｅｐｈｏｎｅ ｎｅｔｗｏｒｋ）、ＳＳ７（Ｓｉｇｎａｌｉｎｇ Ｓｙｓｔｅｍ Ｎｏ ７）、２Ｇ／２．５Ｇ／３Ｇの無線接続ネットワーク、またはＰＢＸ（Ｐｒｉｖａｔｅ ｂｒａｎｃｈ ｅｘｃｈａｎｇｅ）の間でデジタルメディアストリームを変換する伝送装置またはサービスを指称し、非同期電送モード（ＡＴＭ：Ａｓｙｎｃｈｒｏｎｏｕｓ Ｔｒａｎｓｆｅｒ Ｍｏｄｅ）やインターネットプロトコルなどの多重伝送プロトコル基盤の次世代ネットワークを介してマルチメディア通信を行うことができるようにする。すなわち、ＭＧＷ１１０は、ＣＤＭＡ網との音声通話整合またはＷＣＤＭＡ網との映像通話整合を支援し、レガシー網でのシグナリングとＳＳ１３１で支援する呼シグナリングの変換、時分割多重化（ＴＤＭ：Ｔｉｍｅ−Ｄｉｖｉｓｉｏｎ Ｍｕｌｔｉｐｌｅｘｉｎｇ）でのメディア（Ｍｅｄｉａ）変換と使用者端末１１、１３、１５、１７のアプリケーションでのＲＴＰ（Ｒｅａｌ−Ｔｉｍｅ Ｐｒｏｔｏｃｏｌ）メディアを変換してリレー（Ｒｅｌａｙ）する機能を提供する。
【０１２３】
この実施例のＭＧＷ１１０を備えたサービス提供システム１００ｃによれば、２Ｇまたは２．５Ｇネットワークに連結された音声電話端末機１１とスマートフォン１５との間にあるいは映像電話端末機１３とスマートフォン１５との間に文字チャットや音声通話などのコミュニケーションサービスを連結し、コミュニケーションサービスの遂行中に音楽、映画などのマルチメディアコンテンツを共有して同時に聴取するとか視聴することができる。
【０１２４】
ＷＡＳ（Ｗｅｂ Ａｐｐｌｉｃａｔｉｏｎ Ｓｅｒｖｅｒ）１２１はウェブビジネスロジッグを処理する。
【０１２５】
ＣＭＳ（Ｃｏｎｔｅｎｔｓ Ｍａｎａｇｅｍｅｎｔ Ｓｅｒｖｅｒ）１２３は、音源、電子本（ｅＢｏｏｋ）、ミュージックビデオ（ＶｏＤ）、映画などの多様なマルチメディアコンテンツを保存及び管理する。このようなコンテンツは外部のコンテンツ提供者（ＣＰ：Ｃｏｎｔｅｎｔｓ Ｐｒｏｖｉｄｅｒ）などから提供されることができる。また、ＣＭＳ１２３は、ダウム（ｗｗｗ．ｄａｕｍ．ｎｅｔ）などの外部網のポータルサイト（Ｐｏｒｔａｌ Ｓｉｔｅｓ）、モバイルアプストアなどのオープンマーケット（Ｏｐｅｎ Ｍａｒｋｅｔ）、クラウディングシステム（Ｃｌｏｕｄｉｎｇ Ｓｙｓｔｅｍ）のためのプラットフォーム（Ｐｌａｔｆｏｒｍ）を提供し、コンテンツ提供者、ポータルサイト、オープンマーケット、及びクラウディングシステムとの連動機能を果たす。ここで、モバイルアプストアはＳＫ Ｔｅｌｅｃｏｍ社のＴ−ストア、アップル社のアイホンアプリケーションストア（ｉＰｈｏｎｅ Ａｐｐ Ｓｔｏｒｅ）、ノキア社のオビストア（Ｎｏｋｉａ Ｏｖｉ Ｓｔｏｒｅ）、アンドロイドマーケット（Ａｎｄｒｏｉｄ Ｍａｒｋｅｔ）、ブラックベリーアプワールド（Ｂｌａｃｋｂｅｒｒｙ Ａｐｐ Ｗｏｒｌｄ）などを含む。
【０１２６】
ＳＴＳ（Ｓｔｒｅａｍｉｎｇ Ｓｅｒｖｅｒ）１２５は加入者または顧客が選択したコンテンツをストリーミング（Ｓｔｒｅａｍｉｎｇ）方式で使用者端末に送出する。ＳＴＳ１２５は、顧客が選択した音楽、電子本またはＶＯＤなどのコンテンツをＣＭＳ１２３と連動して実時間で使用者端末にストリーミング方式で伝送する。
【０１２７】
ＤＢＳ（Ｄａｔａ Ｂａｓｅ Ｓｙｓｔｅｍ）１２７は、音声及び映像呼統計情報、サービス統計情報、サービス管理統計情報に対するデータベース（Ｄａｔａ Ｂａｓｅ）を管理する。
【０１２８】
ＯＭＳ（ＯＡ ＆ Ｍ Ｓｅｒｖｅｒ：Ｏｐｅｒａｔｉｏｎ Ａｄｍｉｎｉｓｔｒａｔｉｏｎ ａｎｄ Ｍａｎａｇｅｍｅｎｔ Ｓｅｒｖｅｒ）１２９はサービス提供システム１００ｃを運用及び管理するための構成部で、サービス提供システム１００ｃの形状管理（Ｓｙｓｔｅｍ Ｃｏｎｆｉｇｕｒａｔｉｏｎ Ｍａｎａｇｅｍｅｎｔ）、統計処理管理、障害処理管理、運用管理などの機能を果たす。
【０１２９】
ＳＳ（ＳＩＰ Ｓｉｇｎａｌｉｎｇ Ｓｅｒｖｅｒ）１３１はＩＭＳネットワーク基盤のＳＩＰシグナリング（Ｓｅｓｓｉｏｎ Ｉｎｉｔｉａｔｉｏｎ Ｐｒｏｔｏｃｏｌ Ｓｉｇｎａｌｉｎｇ）を処理し、外部網に対するＳＩＰセッション要請を制御するＳ−Ｐｒｏｘｙ（ＳＩＰ Ｐｒｏｘｙ）機能を果たす。また、ＳＳ１３１は、ＩＭＳネットワークからルーティング（Ｒｏｕｔｉｎｇ）されるＳＩＰ呼に対する管理、統計、ＣＤＲ（Ｃａｌｌ Ｄｅｔａｉｌ Ｒｅｃｏｒｄ）を処理し、該当のＳＩＰ呼をＩＳＵＰ（Ｉｎｔｅｇｒａｔｅｄ Ｓｅｒｖｉｃｅｓ ｄｉｇｉｔａｌ ｎｅｔｗｏｒｋ Ｕｓｅｒ Ｐａｒｔ）呼シナリオ管理指針に従って処理するアプリケーションサーバー（ＡＳ：Ａｐｐｌｉｃａｔｉｏｎ Ｓｅｒｖｅｒ、図示せず）への呼ルーティング機能を果たす。この実施例において、アプリケーションサーバーはＭＧＷ１１０に含まれたものと見なすことができる。ここで、ＩＭＳネットワークはＩＰマルチメディアサービスを提供するためのノードの集合または基盤構造（Ａｒｃｈｉｔｅｃｔｕｒａｌ Ｆｒａｍｅｗｏｒｋ）を指称し、呼セッション制御部（ＣＳＣＦ：Ｃａｌｌ Ｓｅｓｓｉｏｎ Ｃｏｎｔｒｏｌ Ｆｕｎｃｔｉｏｎ）、ホーム加入者サーバー（ＨＳＳ：Ｈｏｍｅ Ｓｕｂｓｃｒｉｂｅｒ Ｓｅｒｖｅｒ）、及びアプリケーションサーバーを含むことができ、所定のＩＰマルチメディアサービスが設定されている使用者端末に対する情報を該当のサービス提供者に伝達する。
【０１３０】
ＲＳ（Ｒｅｇｉｓｔｒａｔｉｏｎ Ｓｅｒｖｅｒ）１３３は加入者の電話番号簿リスト管理、加入者状態管理、加入者認証管理を担当し、ＳＩＰプロトコルを基盤としてＩＭＳネットワークと連動する。
【０１３１】
ＭＳＲＰ（Ｍｅｓｓａｇｅ Ｓｅｓｓｉｏｎ Ｒｅｌａｙ Ｐｒｏｔｏｃｏｌ）サーバー１３５はインスタントメッセージ（Ｉｎｓｔａｎｔ Ｍｅｓｓａｇｅ）の伝送を担当し、音楽、イメージ、動画などに対するバイナリー（Ｂｉｎａｒｙ）ファイルの伝送セッション管理と信頼性あるファイル伝送を担当する。ＭＳＲＰサーバー１３５はＭＳＲＰスイッチ（Ｓｗｉｔｃｈ）サーバーと言える。
【０１３２】
ＢＳ（Ｂｉｌｌｉｎｇ Ｓｅｒｖｅｒ）１３７は、サービス提供システム１００ｃ内で顧客に対してマルチメディアコンテンツ共有サービスなどに対する課金及び他のプラットフォームとの連動の際、課金精算の機能を果たす。
【０１３３】
また、サービス提供システム１００ｃは、既存のレガシー（Ｌｅｇａｃｙ）システムと連動することができる。レガシーシステムは、ＣＣＳ１４１、ビリングシステム１４３、ＳＭＳＣ／ＭＭＳＣ１４５、及び有無線ポータル１４７を含む。ここで、ＣＣＳ（Ｃｕｓｔｏｍｅｒ Ｃａｒｅ Ｓｙｓｔｅｍ）１４１は通信事業者の顧客データベースによって加入者認証、フォン認証、つまりフォン（Ｐｈｏｎｅ）の種類による認証などの機能を処理する装置である。ビリングシステム（Ｂｉｌｉｎｇ Ｓｙｓｔｅｍ）１４３は通信事業者が顧客の課金を処理するとか、前払い顧客のための顧客の充填／差引及び残額検索機能などを処理する装置である。ＳＭＳＣ（Ｓｈｏｒｔ Ｍｅｓｓａｇｅ Ｓｅｒｖｉｃｅ Ｃｅｎｔｅｒ）１４５は使用者端末または付加サービス装置から受信したショートメッセージサービスを相手端末に伝送するためのショートメッセージサービス処理装置であり、ＭＭＳＣ（Ｍｕｌｔｉｍｅｄｉａ Ｍｅｓｓａｇｅ Ｓｅｒｖｉｃｅ Ｃｅｎｔｅｒ）はマルチメディアメッセージを加入者端末または付加サービス装置から着信端末に伝送するためのマルチメディアメッセージ処理装置である。有無線ポータル１４７は、移動通信顧客が該当の移動通信事業者に提供される有線または無線インターネットサービスのために提供されるポータルシステムに所定のサービスに加入した加入者に該当のインターネットサービスを提供する。
【０１３４】
また、サービス提供システム１００ｃは、外部のオープンプラットフォーム１５１、外部プラットフォーム１５３、コンテンツ提供者１５５などとインターネットを介して連結されることができる。ここで、オープンプラットフォーム（Ｏｐｅｎ Ｐｌａｔｆｏｒｍ）１５１はアプリケーションストア、Ｔ−ストア、オレマーケットなどのようにスマート端末１５、１７が多様なプログラム及びコンテンツをダウンロードするとか、ストリーミングサービスを受けるためのプラットフォームを指称し、外部プラットフォーム１５３はコンテンツ別に運営及びサービスされているポータル（Ｐｏｒｔａｌ）事業者プラットフォームまたはクラウディングシステムプラットフォームで、音楽、電子本（ｅＢｏｏｋなど）及び映画などを用いることができるプラットフォームである。そして、コンテンツ提供者（ＣＰ）１５５はサービス提供システム１００ｃに多様なコンテンツをアップロードすることができるコンテンツ供給者である。
【０１３５】
この実施例によるサービス提供システム１００ｃに結合する使用者端末と該当のネットワークをより詳細に説明すれば次のようである。
【０１３６】
音声電話端末機１１は２Ｇまたは２．５Ｇネットワークを介して音声及びデータ通信を行うための使用者端末である。映像電話端末機１３はＷＣＤＭＡ網で音声、画像／映像及びデータ通信を行うための使用者端末を指称する。スマート端末１５、１７はインターネット、ＷｉＦｉ網５０またはＷＣＤＭＡパケット交換（ＰＳ：Ｐａｃｋｅｔ Ｓｗｉｔｃｈｅｄ）網で音声、画像／映像及びデータ通信を行うためのもので、無線インターネット機能を備え、ＷｉＦｉ及びＰＳ網で文字／テキスト（Ｔｅｘｔ）メッセージ送受信、音声または映像メッセージ送受信、及び音声／映像通話を行うための統合アプリケーション（ａｐｐｌｉｃａｔｉｏｎ、アプ（Ａｐｐ））を組み込んだ使用者端末を指称する。このような、スマート端末１５、１７はいわゆるスマートフォン、タブレットＰＣ、アイパッドなどを含む。
【０１３７】
２Ｇ／２．５ＧまたはＣＤＭＡ（ＧＳＭ）ネットワーク２０はＣＤＭＡ（ＧＳＭ）使用者端末を用いて音声呼をルーティングして処理することができる移動通信事業者の交換器であるＭＳＣ（Ｍｏｂｉｌｅ Ｓｗｉｔｃｈｉｎｇ Ｃｅｎｔｅｒ）２１と外部網と内部網のゲートウェイ（Ｇａｔｅｗａｙ）の役目を担当するＰＧＳ（Ｐｒｏｔｏｃｏｌ Ｇａｔｅｗａｙ Ｓｅｒｖｉｃｅ）サーバー２３を介してサービス提供システム１００ｃと連動する。
【０１３８】
ＷＣＤＭＡネットワーク３０はＷＣＤＭＡ端末を用いて音声及び映像呼をルーティング（ｒｏｕｔｉｎｇ）して処理することができ、ＳＧＳＮ［Ｓｅｒｖｉｎｇ ＧＰＲＳ（Ｇｅｎｅｒａｌ Ｐａｃｋｅｔ Ｒａｄｉｏ Ｓｅｒｖｉｃｅｓ） Ｓｕｐｐｏｒｔ Ｎｏｄｅ、３５］とＧＧＳＮ（Ｇａｔｅｗａｙ ＧＰＲＳ Ｓｕｐｐｏｒｔ Ｎｏｄｅ）３７を介してＷＣＤＭＡパケットネットワーク（Ｐａｃｋｅｔ ｓｗｉｔｃｈｅｄ Ｎｅｔｗｏｒｋ）の使用者端末と外部網の使用者端末との間のインターワーキング（ｉｎｔｅｒｗｏｒｋｉｎｇ）を担当する。また、ＷＣＤＭＡネットワーク３０は映像電話１３のようなＷＣＤＭＡ使用者端末に対する音声及び映像呼をルーティング（ｒｏｕｔｉｎｇ）して処理することができる交換器であるＷＭＳＣ（ＷＣＤＭＡ ＭＳＣ）３１とＰＧＳサーバー３３を介してサービス提供システム１００ｃと連動する。
【０１３９】
インターネット５０はＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）またはＵＤＰ／ＩＰ（Ｕｓｅｒ Ｄａｔａｇｒａｍ Ｐｒｏｔｏｃｏｌ／Ｉｎｔｅｒｎｅｔ Ｐｒｏｔｏｃｏｌ）として広く知られている一連の通信プロトコルを使う相互に連結されたコンピュータネットワークの機構的システムを指称する。使用者端末はＷｉＦｉなどの無線ＬＡＮ方式でインターネット５０に接続することができる。また、インターネット５０はＳＢＣ（Ｓｅｓｓｉｏｎ Ｂｏｒｄｅｒ Ｃｏｎｔｒｏｌｌｅｒ）５２を介してサービス提供システム１００ｃに連結される。ＳＢＣ５２はＳＩＰネットワークから提供する産業標準による構成部で、インターネット５０に結合して相互に連結されたコンピュータネットワークのＳＩＰの間に発生することができるＮＡＴ（Ｎｅｔｗｏｒｋ Ａｄｄｒｅｓｓ Ｔｒａｎｓｌａｔｉｏｎ） Ｔｒａｖｅｒｓａｌを処理する。
【０１４０】
この実施例のサービス提供システム１００ｃによれば、コミュニケーションサービスの遂行中に使用者端末のアプリケーションによってマルチメディアコンテンツ共有サービスを提供することができる。また、コミュニケーションサービスの遂行中に使用者端末のマルチメディアコンテンツ共有要請信号に応じて該当のコミュニケーションサービスを遂行している使用者が実時間でマルチメディアコンテンツを共有するようにサービスすることができる。
【０１４１】
図９は本発明の実施例によるサービス提供システム及び方法に採用可能な使用者端末の連動過程の一実施例を説明する概念図である。
【０１４２】
図９を参照すれば、使用者端末３１０は映像チャット中に使用者が設定した映像チャットオプションまたはマルチメディアコンテンツ共有サービスオプションによって既に設定された方式、例えば図３に示すような方式で映像チャットの相手とマルチメディアコンテンツを共有する。ここで、使用者端末３１０には、映像チャット中にマルチメディアコンテンツ共有サービスを支援して該当のサービス画面を提供するアプリケーションが組み込まれる。
【０１４３】
この実施例による使用者端末でのアプリケーションの作動過程をより具体的に説明すれば次のようである。
【０１４４】
まず、アプリケーションは、使用者端末３１０のディスプレイに映像チャット画面と映像チャット画面の一部領域に表示されるマルチメディアコンテンツ共有メニューを提供する。マルチメディアコンテンツ共有メニューは、映像チャットの状態で使用者が音楽を選択することができるアイコン（ミュージックメニュー）、チャット用文字またはテキストの入力のための入力インターフェース（以下、チャットウィンドーという）などを備えることができる。このような使用者端末３１０の画面で使用者はコミュニケーションサービスの遂行中に画面に表示されたミュージックメニューを選択するとかチャットウィンドーに所定のキーワードを入力することができる。
【０１４５】
使用者がチャットウィンドーを活性化すれば（Ｓ１）、画面にはキーパッドが表示される（３１２）。使用者がキーパッドに歌手名や作曲家などの歌に関連したテキストを入力すれば、例えば、“トゥナイトを一緒に聞こうか”と入力すれば（Ｓ２）、使用者端末のアプリケーションに組み込まれた文字認識エンジンは特定のキーワード、例えばチャットテキストに含まれた‘トゥナイト’と言う歌の題目を認識し、アプリケーションは画面に表示される該当の音源を使用者が実行選択すること（Ｓ３）によって、サービス提供システムに該当の音源ファイルに対する共有サービスを要請する。
【０１４６】
一方、使用者がミュージックメニューを選択すれば（Ｓ４）、使用者端末には音源リストが表示される（３１４）。使用者によって所望の音源、例えば‘トゥナイト’が選択されれば（Ｓ５）、アプリケーションは使用者からの該当の音源の実行選択によってマルチメディアコンテンツ共有サービスをサービス提供システムに要請する（Ｓ６）。
【０１４７】
前記段階（Ｓ３またはＳ６）によって、サービス提供システムは使用者端末３１０のアプリケーションからマルチメディアコンテンツ共有要請信号を受ける。ここで、マルチメディアコンテンツ共有要請信号は文字認識エンジンで認識したキーワードに基づき、使用者端末内に保存されたマルチメディアコンテンツに相応するマルチメディアデータファイルを相手端末に伝送することをサービス提供システムに要請する信号であるか、あるいは文字認識エンジンで認識したキーワードに相応して使用者端末内に保存されたマルチメディアコンテンツの識別子をサービス提供システムに伝送しながら識別子に相応するマルチメディアコンテンツのストリーミング伝送をサービス提供システムに要請する信号に相当する。このようなマルチメディアコンテンツ共有要請信号は、使用者端末３１０からＭＳＲＰ（Ｍｅｓｓａｇｅ Ｓｅｓｓｉｏｎ Ｒｅｌａｙ Ｐｒｏｔｏｃｏｌ）セッション情報がＳＤＰ（Ｓｅｓｓｉｏｎ Ｄｅｓｃｒｉｐｔｉｏｎ Ｐｒｏｃｏｔｏｌ）に付け加わったＩＮＶＩＴＥメッセージ形態として生成されてサービス提供システム内の信号処理サーバーに伝送されることができる。
【０１４８】
そして、サービス提供システムは、マルチメディアコンテンツ共有要請信号に応じてコミュニケーションサービスを実行する使用者の端末の間に形成したファイル伝送セッションによって使用者端末のマルチメディアファイルを相手端末に伝送するとか、マルチメディアコンテンツ共有要請信号とストリーミング要請信号に応じてマルチメディアコンテンツの識別子に相応するマルチメディアファイル、例えば音楽ファイルをストリーミング方式で両使用者端末に伝送する（Ｓ７）。
【０１４９】
使用者端末３１０から所定音源が相手端末に伝送されるとかあるいはサービス提供システムからストリーミング方式で使用者端末３１０と相手端末に該当の音源がストリーミング方式で伝送されれば、コミュニケーションサービス遂行中の使用者はコミュニケーションサービスの遂行中に一緒に同一音楽を聴取することができるようになる（Ｓ８）。
【０１５０】
前述したサービスの手続きに加え、この実施例のサービス提供システム及び方法は多様な付加サービスの手続きを備えることができる。例えば、使用者端末に組み込まれるアプリケーションまたは使用者端末に連結されるサービス提供システムにおいては、使用者端末で現在再生されている音楽などのマルチメディアコンテンツのプレゼント実行機能によって相手や第３者にプレゼントするようにすることができ、またコミュニケーションサービス遂行中の使用者の中の少なくともいずれか一の使用者が該当のコンテンツを自分のものに設定することまたはダウンロードなどの機能によって該当のコンテンツをすぐ購入するようにすることができる。また、使用者端末のアプリケーションまたはサービス提供システムにおいては、両端末で実行されている音楽などのマルチメディアコンテンツに対して使用者及び／または相手の端末で該当のコンテンツの一時停止（Ｐａｕｓｅ）、再生（Ｒｅｐｌａｙ）、停止（Ｓｔｏｐ）などの制御機能を提供することができる。
【０１５１】
図１０は本発明の実施例によるサービス提供システム及び方法に採用可能なマルチメディアコンテンツ共有サービス遂行中のプレゼント実行付加サービスの手続きの概念図である。
【０１５２】
図１０を参照すれば、発信側使用者端末３１０及び着信側使用者端末３３０の使用者が互いに映像チャットをしながら、例えば発信側端末３１０の使用者が選択した音楽を同時に聴取しているとき、発信側端末３１０の使用者が自分の端末に組み込まれたアプリケーション（以下、第１アプという）から提供するプレゼント実行（Ｇｉｆｔ）メニューボタンを選択して該当の音源を相手にプレゼントすることができる。
【０１５３】
この実施例によるプレゼント実行付加サービスの手続きについてより具体的に説明すれば、例えば映像チャット状態（Ｓ１）の発信側端末３１０の使用者が保有中の音源を着信側端末３３０の使用者に音楽ファイル共有要請し、背景（Ｂａｃｋｇｒｏｕｎｄ）として該当の音楽を同時に聴取している状態（Ｓ２）で発信側端末３１０の使用者が第１アプでプレゼント実行メニューを選択する（Ｓ３）。
【０１５４】
ここで、第１アプは、使用者のプレゼント実行メニューの選択によって該当の音源に対する情報要請信号をサービス提供システム１００ｃに伝達し、サービス提供システム１００ｃから該当の音源情報を受けることができる。サービス提供システム１００ｃから該当の音源情報を受けた後、第１アプは発信側端末３１０の画面に出力される音源情報を確認し、確認メニューを選択することができる（Ｓ５）。この過程は音源情報が発信側端末３１０に存在する場合に省略することができる。サービス提供システム１００ｃは、この実施例の付加サービスを提供するために、図８のＳＳ１３１、ＲＳ１３３、ＭＳＲＰサーバー１３５、ＢＳ１３７、ＳＴＳ１２５、ＣＭＳ１２３などを備えることができる。
【０１５５】
発信側端末３１０の使用者が画面でプレゼント実行の‘確認’メニューを選択すれば（Ｓ５）、第１アプはネットワークを介して連結されたサービス提供システム１００ｃと連動し、発信側使用者端末３１０の残額を検索し、該当の音源の決済を要請する（Ｓ６）。この決済過程は該当の音源が無料の場合に省略することができる。
【０１５６】
発信側端末３１０の使用者が決済を要請することによってサービス提供システム１００ｃは着信側端末３３０の使用者に発信側端末３１０の使用者が音源をプレゼントしようとすることを知らせる通知（Ｎｏｔｉｆｉｃａｔｉｏｎ）メッセージを伝送し、着信側端末３３０の使用者がダウンロードを確認すれば、着信側端末３３０による該当の音源のダウンロードを許容することができる（Ｓ７）。着信側端末３３０への音源のダウンロードが完了すれば、サービス提供システム１００ｃは着信側端末３３０からダウンロード完了メッセージを受信することができる（Ｓ８）。
【０１５７】
着信側端末３３０への音源ダウンロードが完了すれば、サービス提供システム１００ｃは発信側端末３１０にプレゼント実行完了メッセージを伝送する（Ｓ９）。そして、サービス提供システム１００ｃは第１アプとの連動によって発信側端末３１０に対する課金決済を処理する（Ｓ１０）。
【０１５８】
この実施例においては、発信側端末３１０側でプレゼント実行付加サービス機能を選択した場合を例として説明したが、ストリーミング方式のマルチメディアコンテンツ共有サービスを用いている場合、着信側端末３３０側においてもプレゼント実行付加サービス機能を用いることができるのは言うまでもない。
【０１５９】
図１１は本発明の実施例によるシステム及び方法に採用可能なダウンロード付加サービスの手続きの概略的な概念図である。
【０１６０】
図１１を参照すれば、発信側端末３１０及び着信側端末３３０の使用者が互いに映像チャットしている状態で、例えば発信側端末３１０の使用者が選択した音楽を同時に聴取しているとき、着信側端末３３０の使用者は自分の端末に組み込まれたアプリケーション（以下、第２アプという）から提供するダウンロードメニューボタンを選択して該当の音源を自分の端末にダウンロードして保存することができる。
【０１６１】
この実施例によるダウンロード付加サービスの手続きについてより具体的に説明すれば、まず映像チャット中（Ｓ１）の発信側端末３１０の使用者が着信側端末３３０の使用者であるチャット相手に所定の音楽ファイルの共有を要請し、背景（Ｂａｃｋｇｒｏｕｎｄ）として該当の音楽を同時に聴取している状態（Ｓ２）で、着信側端末３３０の使用者は第２アプから提供する画面に表示されたダウンロードメニューを選択する（Ｓ３）。
【０１６２】
第２アプは、着信側端末３３０内に該当の音源情報がある場合、その音源情報を自分の端末の画面上に表示することができる。一方、着信側端末３３０内に該当の音源情報がない場合、第２アプはサービス提供システム１００ｃに音源情報を要請して受けることができる（Ｓ４）。着信側端末３３０の使用者は画面に表示される音源情報を確認する。
【０１６３】
着信側端末３３０の使用者がダウンロード付加サービスに対する‘確認’メニューを選択すれば（Ｓ５）、第２アプは、サービス提供システム１００ｃと連動して着信側端末３３０の残額を検索し、該当の音源の決済を要請する（Ｓ６）。この決済過程は該当の音源が無料である場合に省略することができる。決済が完了すれば、サービス提供装置１００ｃは着信側端末３３０に対する音源ダウンロードを提供する（Ｓ７）。
【０１６４】
ダウンロードが完了すれば、サービス提供装置１００ｃは着信側端末３３０からダウンロード完了メッセージを受け（Ｓ８）、着信側端末３３０の第２アプと連動して該当の音源に対する課金決済を処理する（Ｓ９）。
【０１６５】
図１２は本発明の実施例によるシステム及び方法に採用可能なマルチメディア共有サービスのさらに他の一実施例を説明する概念図である。
【０１６６】
図１２に示すように、この実施例によるサービス提供システムは、第１端末３１０と第２端末３３０が映像チャット状態（Ｓ１）で音楽同時聴取中であるとき（Ｓ２）、第１端末３１０と第２端末３３０の音楽再生環境を共有するようにサービスする。すなわち、ホスト（Ｈｏｓｔ）側に対応する第１端末３１０の使用者が自分の端末に組み込まれたアプリケーション内のミュージック／ＶＯＤ制御メニューによって遠隔（Ｒｅｍｏｔｅ）側に対応する第２端末３３０での該当のコンテンツに対する制御を行うようにサービスすることができる。
【０１６７】
例えば、第１端末３１０の使用者は自分の端末で音声またはボリューム（Ｖｏｌｕｍｅ）メニューを選択して該当の音楽ファイルのボリュームを調整する（Ｓ３）。第１端末３１０の使用者のボリューム調整によって第１アプはサービス提供システムによって調整されたボリューム値を第２端末３３０に伝送する（Ｓ４）。ここで、ボリューム調整方式は、ストリーミング伝送方式の場合、サービス提供システムにおいて第１端末３１０での調整されたボリュームレベルによって該当のコンテンツのボリュームを調節して第２端末３３０に伝送する方式であることができ、またファイル伝送方式の場合、サービス提供システムによって該当の音源のボリューム値をメッセージ形態として第２端末３３０に伝送する方式であることができる。
【０１６８】
第２端末３３０のアプリケーションは、第１端末３１０から受信したボリュームレベルに合わせて該当の音楽のボリュームを調整してプレイする（Ｓ５）。ここで、第２端末３３０のアプリケーションは、ストリーミング音源を受信した場合、すぐ実行し、ボリューム値に対するメッセージを受信した場合、受信されたボリューム値に当たるように音源のボリュームを調整した後、該当の音楽を実行するようになる。
【０１６９】
この実施例の付加サービスは、図３のサービスの手続きの中で、第１端末でマルチメディアファイルが再生され（Ｓ３７５）、実質的にこれと同時に第２端末で第１端末から受けたマルチメディアファイルが再生されるとき（Ｓ３７７）、サービス提供システムが第１端末３１０からマルチメディアコンテンツ再生制御信号を受信し、マルチメディアコンテンツ再生制御信号を第２端末３３０に伝送するように適用することができる。また、この実施例の付加サービスは、図７のサービスの手続きの中で、段階（Ｓ７７５）及び段階（Ｓ７７７）の遂行中にも適用できる。
【０１７０】
ここで、マルチメディアコンテンツ再生制御信号を生成するための制御インターフェースは、第１端末３１０のアプリケーションから提供するメニューの中の少なくともいずれか一つのメニューが選択されるときに活性化するように具現できる。制御インターフェースは、音源再生機（Ｐｌａｙｅｒ）、ＶＯＤ再生機などを含むことができる。
【０１７１】
このようなマルチメディアコンテンツ再生制御信号は、実行制御信号、音制御信号などを含み、実行制御信号は、再生、中止、反復再生、前に移動、後に移動などの制御信号を含み、音制御信号は、音のボリュームを調節するためのボリューム上げ、ボリューム下げ、ミュートなどの制御信号を含むことができる。
【０１７２】
例えば、マルチメディアコンテンツ再生制御信号は、ミュージック／ＶＯＤ制御メニュー（以下、簡単にミュージック制御メニューという）を含み、ミュージック制御メニューは、オン／オフ（Ｏｎ／Ｏｆｆ）、停止（Ｓｔｏｐ）、一時停止（Ｐａｕｓｅ）、再生（Ｒｅｐｌａｙ）、早送り（ＲＷＤ）、巻戻し（ＲＥＷ）、反復再生などの動作制御メニュー、及びこれら動作制御メニューとともに画面に表示されるプレイ総時間、進行時間などの状態表示メニューを含むことができる。
【０１７３】
前述した構成によれば、第１端末３１０から受けたマルチメディアコンテンツ再生制御信号に応じて、第２端末３３０のアプリケーションは、現在再生中のマルチメディアコンテンツの再生に関連した制御を自動で遂行するようになる。
【０１７４】
この実施例においては、第１端末３１０で同時音楽聴取に対するボリュームを調整する場合を例として説明したが、第２端末３３０で該当の音楽のボリュームを調整することができるのは言うまでもない。この実施例において、第１端末３１０は発信側または着信側使用者端末であることができる。
【０１７５】
図１３は本発明の実施例によるシステム及び方法に採用可能なマルチメディア共有サービスのさらに他の一実施例を説明する概念図である。
【０１７６】
図１３を参照すれば、この実施例のマルチメディア共有サービス提供方法はマルチメディアコンテンツのリモートコントロール方式のさらに他の一実施例であり、第１端末３１０と第２端末３３０が映像チャット中に同時音楽聴取の状態であるとき、それぞれの端末に組み込まれたアプリケーション内のミュージック／ＶＯＤ制御メニューを用いて使用者端末のそれぞれで自体でボリュームまたは該当のコンテンツに対して制御（Ｓｔｏｐ／Ｐａｕｓｅ／Ｒｅｐｌａｙ／ＦＷＤ／ＲＥＷ）、反復再生などが可能な動作制御メニューとプレイ総時間及び進行時間などが見られる状態表示メニューを選択して調整するようにサービスする。
【０１７７】
例えば、映像チャット状態（Ｓ１）で、第１端末３１０の使用者と第２端末３３０の使用者がバックグラウンドで音楽同時聴取中であるとき（Ｓ２）、第１端末３１０の使用者は該当のコンテンツに対して自分の端末の画面に表示されたミュージック制御メニューを選択して（Ｓ３）ボリューム（Ｖｏｌｕｍｅ）、音声オン／オフ（Ｖｏｉｃｅ Ｏｎ／Ｏｆｆ）などの項目を所望の値に調整する（Ｓ４）。そして、第１端末３１０の場合と同様に、第２端末３３０の使用者も該当の音楽コンテンツに対してミュージック制御メニューを選択して（Ｓ３）ボリューム（Ｖｏｌｕｍｅ）、音声オン／オフ（Ｖｏｉｃｅ Ｏｎ／Ｏｆｆ）、またはＳｔｏｐ／Ｐａｕｓｅ／Ｒｅｐｌａｙ／ＦＷＤ／ＲＥＷ、反復再生などの項目を所望の値に調整する（Ｓ５）。
【０１７８】
ここで、サービス提供システムは、いずれか一方の第１使用者が設定するとか変更したミュージック制御メニューに対する情報を相手に伝達することができ、それによって他方の第２使用者が第２使用者のミュージック制御メニューを参照しながら該当の音楽コンテンツの設定を直接制御するようにすることができる。
【０１７９】
この実施例によれば、ホスト（Ｈｏｓｔ）−遠隔（Ｒｅｍｏｔｅ）制御方式ではなく、発信側及び着信側端末にそれぞれ組み込まれるアプリケーションによってそれぞれの端末で直接調整した値によって該当の共有コンテンツの再生環境を制御することで、共有コンテンツの中で自分の個性や趣向に合うように該当のコンテンツを共有することができ、それによって使用者の便宜性を向上させることができる。
【０１８０】
前述した実施例による本発明の技術的特徴を概略的に説明すれば次のようである。
【０１８１】
第一に、実時間文字チャットまたは映像チャットなどのコミュニケーションサービスの利用中、本サービスに加入した顧客は自分の使用者端末に組み込まれた所定アプリケーションから提供するメニューでＭＰ３ファイルなどの音楽、ＶＯＤ、または映画を選択して相手と同時に聴取または視聴するとか、あるいは実時間で入力した特定の文字に対して自動で対応マルチメディアコンテンツメニューが表示され、その中の所望の音楽または映画などを選択して相手と一緒に該当のコンテンツを一緒に聞くとか見ることができる。
【０１８２】
第二に、コミュニケーションサービスの遂行の際、同時に音楽、ＶＯＤ、または電子本を聴取、視聴またはビュー（Ｖｉｅｗ）している最中に使用者は現在プレイされているコンテンツを自分の端末でクリックまたはタッチして選択することで、相手または第３者にプレゼントするとか、あるいは自分の端末にダウンロードして購買することができる。このようなプレゼントまたは購買の機能を活用すれば、コンテンツ提供者や他の産業との収益創出などの事業提携に有用であることができる。例えば、コミュニケーションサービスの遂行中に発信側または着信側端末の使用者はプレイされている音源に対して該当のコンテンツの所有権がない相手にプレゼントすることができ、相手は該当のコンテンツを直接購入することができる。
【０１８３】
第三に、コミュニケーションサービスの遂行の際、マルチメディアコンテンツの実時間同時聴取または視聴サービスを用いている最中に該当のコンテンツのプレゼントや購買のための決済サービスをサービス提供システムと連動するアプリケーションによって簡便に提供することができる。決済サービスは、携帯電話番号を用いる少額決済サービス、既存の音楽または映画サイト、クラウディングシステムとの連動によるストリーミングサービスまたは音源アップロード／ダウンロードなどのサービス連動による決済サービス、ポータルサイトやオープンマーケットとの連動によるオンライン決済サービスなどを含むことができる。
【０１８４】
第四に、スマート端末と既存のレガシーネットワークに連結された端末間のコミュニケーションサービスの遂行の際、使用者端末が連結される網に関係なくシームレスなあるいは円滑なマルチメディアコンテンツ共有サービスを提供することができる。
【０１８５】
第五に、実時間文字チャット、音声通話、または映像チャットの際、使用者端末に組み込まれて該当のコミュニケーションサービス画面を提供するアプリケーションで使用者が特定メニューを選択するとき、それに応じて生成されるとかあるいはアプリケーションから提供するチャットウィンドーに使用者が特定のキーワードを入力するとき、それに応じて生成されるバックグラウンドミュージック（Ｂａｃｋｇｒｏｕｎｄ Ｍｕｓｉｃ）、ＶＯＤまたは映画などのマルチメディアコンテンツをコミュニケーションサービスの遂行中の使用者が同時に聴取するとか視聴するようにすることができる。
【０１８６】
第六に、コミュニケーションサービスの遂行の際、マルチメディアコンテンツ共有サービスを用いる使用者の中の少なくとも一つの使用者に該当のマルチメディアコンテンツ制御インターフェースを提供することで、該当のコンテンツの再生環境を簡便に調節することができ、それによってマルチメディアコンテンツ共有サービスを便利に用いるようにすることができる。
【０１８７】
以上、好適な実施例に基づいて本発明を説明したが、本発明は前記の実施例に限定されるものではなく、本発明が属する分野で通常の知識を持った者であれば、このような記載から多様な修正及び変形が可能であろう。したがって、本発明は添付の特許請求範囲及び図面などの全体的な記載を参照して解釈されなければならなく、その同等ないし等価の変形の全ては本発明の思想の範疇に属するものに見なさなければならない。
【図１】
2014518594.tif 000003
【図２】
2014518594.tif 000004
【図３】
2014518594.tif 000005
【図４】
2014518594.tif 000006
【図５】
2014518594.tif 000007
【図６】
2014518594.tif 000008
【図７】
2014518594.tif 000009
【図８】
2014518594.tif 000010
【図９】
2014518594.tif 000011
【図１０】
2014518594.tif 000012
【図１１】
2014518594.tif 000013
【図１２】
2014518594.tif 000014
【図１３】
2014518594.tif 000015
【国際調査報告】
2014518594.tif 000016
2014518594.tif 000017
2014518594.tif 000018
2014518594.tif 000019